(57)【要約】【課題】扉体の開閉にともなって、配線が遊技盤の切欠凹部内をスムーズに摺動して出入りすることのできる遊技機を提供する。【解決手段】遊技盤６と遊技機本体４と扉体８０とを備える。遊技盤６は、遊技盤面を前面に有する。遊技機本体４は、遊技盤４を支持する内枠体２０と、本体側電気部品及び裏機構を装備する機構盤３０を備える。扉体８０は、扉体側電気部品及び透視板８４を装備しかつ内枠体２０に扉体用ヒンジ機構を介して開閉可能に設けられる。扉体８０の閉鎖により遊技盤６の遊技盤面が透視板８４を透して視認可能となる。遊技盤６の扉体用ヒンジ機構側の端部には、切欠き状の切欠凹部６０ｅが設けられる。【選択図】　　　図１
2004065944.tif 000002
【特許請求の範囲】
【請求項１】
遊技盤と遊技機本体と扉体とを備え、
前記遊技盤は、遊技盤面を前面に有し、
前記遊技機本体は、前記遊技盤を支持する遊技盤装着枠と、本体側電気部品及び裏機構を装備する機構盤を備え、
前記扉体は、扉体側電気部品及び透視板を装備しかつ前記遊技盤装着枠に扉体用ヒンジ機構を介して開閉可能に設けられ、
前記扉体の閉鎖により前記遊技盤の遊技盤面が前記透視板を透して視認可能となる遊技機であって、
前記遊技盤の前記扉体用ヒンジ機構側の端部には、切欠き状の切欠凹部が設けられていることを特徴とする遊技機。
【発明の詳細な説明】
【０００１】
【発明の属する技術分野】
本発明は、パチンコ機、アレンジボール機、あるいは、パチンコ球を使用してスロットマシンと同様の遊技を行う遊技機等の遊技機に関する。
【０００２】
【従来の技術】
この種の遊技機は、一般的に、遊技盤と遊技機本体と扉体とを備えている。
遊技盤は、遊技盤面を前面に有する。
また、遊技機本体は、遊技盤を支持する遊技盤装着枠と、本体側電気部品及び裏機構を装備する機構盤を備える。
また、扉体は、扉体側電気部品及び透視板を装備しかつ遊技盤装着枠に扉体用ヒンジ機構を介して開閉可能に設けられる。その扉体の閉鎖により遊技盤の遊技盤面が透視板を透して視認可能となる。
【０００３】
ところで、従来は、本体側電気部品と扉体側電気部品とを電気的に接続する配線が、遊技盤の扉体用ヒンジ機構側の端部に設けられた切欠凹部内に直接的に通されていた。なお、遊技盤に切欠凹部が設けられた遊技機は、例えば特許文献１に開示されている。
【０００４】
【特許文献１】
特開２００２−８５７４１号公報
【０００５】
【発明が解決しようとする課題】
ところで、遊技盤の切欠凹部に通された配線は、扉体を開放するときに、引き出され、逆に扉体を閉鎖するときには押し入れられるようにして、切欠凹部内を摺動する。
しかしながら、前記したように、遊技盤の切欠凹部内に配線が直接的に通されていると、扉体の開閉にともなう配線の摺動時に切欠凹部の内壁面による摺動抵抗が発生しやすかった。このため、扉体の開閉時に配線に無理な摺動抵抗が加わることによって、配線の出入りがしづらいという問題があった。
【０００６】
本発明が解決しようとする課題は、扉体の開閉にともなって、配線が遊技盤の切欠凹部内をスムーズに摺動して出入りすることのできる遊技機を提供することにある。
【０００７】
【課題を解決するための手段】
前記した課題を解決するために、本発明の手段１にかかる遊技機は、
「遊技盤と遊技機本体と扉体とを備え、
前記遊技盤は、遊技盤面を前面に有し、
前記遊技機本体は、前記遊技盤を支持する遊技盤装着枠と、本体側電気部品及び裏機構を装備する機構盤を備え、
前記扉体は、扉体側電気部品及び透視板を装備しかつ前記遊技盤装着枠に扉体用ヒンジ機構を介して開閉可能に設けられ、
前記扉体の閉鎖により前記遊技盤の遊技盤面が前記透視板を透して視認可能となる遊技機であって、
前記遊技盤の前記扉体用ヒンジ機構側の端部には、切欠き状の切欠凹部が設けられ、
前記遊技盤装着枠には、前記遊技盤の切欠凹部内に配置されかつ前記本体側電気部品と前記扉体側電気部品とを電気的に接続する配線を摺動案内する配線案内部が設けられていることを特徴とする遊技機。」
を要旨とするものである。
このように構成すると、遊技盤の扉体用ヒンジ機構側の端部に設けられた切欠凹部内に遊技盤装着枠の配線案内部が配置され、本体側電気部品と扉体側電気部品とを電気的に接続する配線が配線案内部によって摺動案内される。したがって、扉体の開閉にともなって、配線が遊技盤の切欠凹部内すなわち遊技盤装着枠の配線案内部内を配線がスムーズに摺動して出入りすることができる。
【０００８】
本発明の手段２にかかる遊技機は、
「手段１に記載の遊技機であって、
前記配線案内部には、その後方開口部を覆うほぼ管状の配線保護部が設けられていることを特徴とする遊技機。」
を要旨とするものである。
このように構成すると、配線案内部内に通された配線が配線保護部によって覆われることにより、例えば、島設備から落下する球や配線案内部周辺の部品等による干渉、衝突等から配線を保護することができる。
【０００９】
本発明の手段３にかかる遊技機は、
「手段１又は２に記載の遊技機であって、
前記遊技盤の遊技盤面の遊技領域外には、前後方向に所定の厚さを有するパネル飾り部材が装着され、
前記パネル飾り部材には、前記配線案内部に連続する連通部が設けられていることを特徴とする遊技機。」
を要旨とするものである。
このように構成すると、配線案内部内に通された配線がパネル飾り部材の連通部によっても摺動案内されるため、その配線が配線案内部内を一層スムーズに出入りすることができる。
【００１０】
本発明の手段４にかかる遊技機は、
「手段３に記載の遊技機であって、
前記パネル飾り部材の連通部の内壁面には、前方へ向かって広がる傾斜面が設けられていることを特徴とする遊技機。」
を要旨とするものである。
このように構成すると、扉体の開放状態からの閉鎖時に、パネル飾り部材の連通部の内壁面に設けられた傾斜面によって、配線が配線案内部内に向けて摺動案内される。詳しくは、例えば、扉体の開放状態において、配線案内部及び連通部を通じて前方へ引き出された配線が、遊技領域方へ撓むように曲がった状態になる場合が予想される。このような場合において、扉体の閉鎖時に、前記曲がった状態の配線が、パネル飾り部材の連通部の傾斜面によって配線案内部内に向けて摺動案内され易い。これにより、前記曲がった状態の配線を配線案内部内にスムーズに誘導することができる。
【００１１】
本発明の手段５にかかる遊技機は、
「手段３又は４に記載の遊技機であって、
前記パネル飾り部材の連通部の内壁面には、その連通部の前半部の開口面積を拡大する段差状の拡大凹部が設けられていることを特徴とする遊技機。」
を要旨とするものである。
このように構成すると、扉体の閉鎖時に、配線案内部内に入りきらなかった配線を、パネル飾り部材の連通部の拡大凹部内に無理なく収納することが可能である。これにより、パネル飾り部材と扉体との間での配線の挟み込みを防止あるいは低減することができる。
【００１２】
【発明の実施の形態】
［実施の形態１］
本発明の実施の形態１を図面にしたがって説明する。実施の形態１は、遊技機の一つであるパチンコ機に本発明を適用したものを例示する。まず、パチンコ機の基本的な構成について述べる。また、説明の都合上、パチンコ機の遊技者に面する側を前面側、その反対側を後面側と称し、図面の方位を各図に矢印で示すとおりに定める。
図１に示すように、パチンコ機１は、外枠体１０と内枠体２０と扉体（開閉扉とも呼ばれる。）８０とを備えている。外枠体１０は、図３に示すように、例えば、木製の左右上下の各枠材１１，１２，１３，１４をほぼ矩形枠状に枠組みすることによって構成されている。左右の枠材１１，１２の下端部における前面側の相互間には、下受板１５が架設されている。
【００１３】
前記内枠体２０は、図１２及び図１３に示すように、例えば、樹脂製で、ほぼ四角形額縁状に形成されている。内枠体２０は、上枠部２４１、下枠部２４２、左側の側枠部２４３及び右側の側枠部２４４を一体に備え、ほぼ四角形状の開口窓２４６を形成している。また、内枠体２０における下枠部２４２の前面側の上部には、発射レール部２４７、レール受け部２４８等が一体状に設けられている。発射レール部２４７、レール受け部２４８は、後述する上皿部材７０（図１及び図２参照）の後面側に位置する。なお、遊技盤装着枠部２１の構成については後ほど詳述する。
【００１４】
図３に示すように、前記内枠体２０は、その左側部が前記外枠体１０の左側部に内枠体用ヒンジ機構１８を介して回動可能に支持されることにより、外枠体１０の前面側に開閉可能に設けられている。また、図１２及び図１３に示すように、内枠体２０には、遊技盤装着枠部２１が開口窓２４６の周縁部に沿って一体形成されている。遊技盤装着枠部２１は、遊技盤６（後述する）を後方から着脱可能に嵌め込んだ状態で支持する（図１５及び図１６参照）。
【００１５】
図３に示すように、前記内枠体２０の後面側には、機構盤３０が設けられている。機構盤３０は、例えば、樹脂製で、図１７及び図３３に示すように、ほぼ四角形額縁状に形成されている。図３に示すように、機構盤３０は、その左側部が内枠体２０の左側部に機構盤用ヒンジ機構（符号省略）を介して回動可能に支持されることにより、内枠体２０の後面側に開閉可能に設けられている。なお、外枠体１０と内枠体２０と機構盤８０等を主体として、遊技機本体４が構成されている。
【００１６】
図１４に示すように、前記内枠体２０の後面側には、複数（例えば、４個）の締付具２９が配設されている。図３に示すように、内枠体２０に機構盤３０を閉じた状態で、締付具２９が締付けられることにより、内枠体２０に対して機構盤３０が閉じ状態に保持される（図６参照）。これとともに、内枠体２０の遊技盤装着枠部２１に嵌め込まれた遊技盤６（後述する）が固定状態に保持されるようになっている（図１及び図２参照）。また、内枠体２０に対する締付具２９の締付けを緩めて解放することにより機構盤３０を開くことができ、それによって遊技盤装着枠部２１に対して遊技盤６を脱着することができる。なお、図３及び図６では遊技盤６が省略されている。
【００１７】
図１２に示すように、前記内枠体２０の下枠部２４２の右端部には、開口孔２０ａが形成されている。開口孔２０ａ内には、球発射装置４０の操作軸４０ａが挿入されている。なお、操作軸４０ａには、後述する球発射装置４０の作動軸４７が係合によって連結されるようなっている（図３８参照）。
【００１８】
図１２及び図１３に示すように、前記内枠体２０の右上隅角部すなわち上枠部２４１と右側の側枠部２４４とによる隅角部には、スピーカ取付孔２３ａを有するスピーカ取付用枠部２３が形成されている。そのスピーカ取付孔２３ａ内には、スピーカ５６が配置されている（図９参照）。また、スピーカ取付用枠部２３は、遊技盤装着枠部２１の右上隅角部すなわち開口窓２４６の当該隅角部に、はみ出している。
【００１９】
図１２に示すように、前記内枠体２０の後面側の右下部すなわち下枠部２４２の右端部（図１４において左端部）には、球発射装置４０が配設されている。球発射装置４０は、取付板４３と球発射モータ４１と球発射ハンマー４２と、発射制御基板ボックス５０を備えている（図３７及び図３８参照）。
図１４に示すように、取付板４３は、内枠体２０の下枠部２４２に取り付けられている。また、球発射ハンマー４２は、取付板４３の後面側に回動可能に支持されている。また、球発射モータ４１は、取付板４３に装着されており、球発射ハンマー４２を駆動する。また、発射制御基板ボックス５０は、取付板４３に装着されている。発射制御基板ボックス５０内には、球発射モータ４１を駆動制御するための発射制御基板（図示省略）が収納されている。
【００２０】
図１７及び図３３に示すように、前記機構盤３０は、上枠部３０１、下枠部３０２、左側の側枠部３０３及び右側の側枠部３０４を一体に備え、ほぼ四角形状の開口窓３０５を形成している。
【００２１】
図３４及び図３５に示すように、前記機構盤３０の後面側には、その上部から下部に向けて球タンク３２、球誘導樋３４、球払出装置３６等が配設されている。詳しくは、球タンク３２は、機構盤３０の上枠部３０１の後面側の上部に装着されている。また、球誘導樋３４は、球タンク３２の下側に隣接する状態で、機構盤３０の上枠部３０１の後面側に装着されている。そして、球タンク３２は、所定量の球を貯留し、その球を球誘導樋３４に向けて供給する。また、球払出装置３６は、機構盤３０の左側の側枠部３０３の後面側に装着されている。球払出装置３６には、球誘導樋３４から流下する球が流入する。球払出装置３６は、払出用モータ（図示省略）を内蔵しており、賞球数あるいは貸球数に対応する数の球を払出通路（図示省略）へ払い出す機能を備えている。なお、球タンク３２、球誘導樋３４、球払出装置３６等は、本明細書でいう「裏機構」を構成している。
【００２２】
図３４及び図３５に示すように、前記機構盤３０の機構盤用ヒンジ機構側（図３４及び図３５において右側部）の下端部すなわち下枠部３０２と左側の側枠部３０３とによる隅角部の後面側には、払出制御基板ボックス３６１が装着されている。払出制御基板ボックス３６１内には、払出制御基板（図示省略）が収納されている。払出制御基板は、後述するサブ制御基板ボックス５２（図３及び図１７参照）内のサブ制御基板（図示省略）から出力される信号に基づいて前記球払出装置３６の払出用モータ（図示省略）を駆動制御する。
【００２３】
図３４及び図３５に示すように、前記機構盤３０における下枠部３０２の左端部（図３４及び図３５において左側部）の後面側には、電源基板ボックス５１が装着されている（図６参照）。電源基板ボックス５１内には、電源基板（図示省略）が収納されている。電源基板は、外部電源を受けて遊技機内の各種電気部品に電源を供給する。
【００２４】
図３に示すように、前記電源基板ボックス５１の後面側には、サブ制御基板ボックス５２が配置されている。サブ制御基板ボックス５２内には、サブ制御基板（図示省略）が収納されている。なお、サブ制御基板は、前記スピーカ５６（図９参照）、後述する扉体８０（図４参照）の発光装飾装置の各ランプ、後述する操作ハンドル４４のバイブレータ４９（図３０参照）、及び操作ユニット１４０（図４参照）等の制御にかかる制御基板である。
【００２５】
図１７及び図３３に示すように、前記機構盤３０における下枠部３０２内には、球集合路３００が形成されている。球集合路３００は、後述する遊技盤６（図１参照）の遊技領域から後面側に流れた球を集めて所定位置へ誘導する。
【００２６】
図３４に示すように、前記機構盤３０の上枠部３０１の左端部（図３４において右端部）すなわち機構盤用ヒンジ機構側の端部近くの後面側には、後方に開口する第１の中継基板用装着凹部３６０と、第２の中継基板用装着凹部３７０が左右に並んで形成されている。第１の中継基板用装着凹部３６０には第１の中継基板５３が装着され、第２の中継基板用装着凹部３７０には第２の中継基板５４が装着されている（図６及び図３５参照）。各中継基板５３，５４は、それぞれほぼ四角形板状をなしており、中継回路を構成する回路構成部品やコネクタ等が装着されている。各中継基板５３，５４には、前記サブ制御基板（図示省略）、前記スピーカ５６（図９参照）、後述するカード式球貸機２００（図３２参照）、扉体８０の発光装飾装置の各ランプ（後述する）等が電気的に接続されている。
【００２７】
前記機構盤３０における上枠部３０１の左端部（図３４及び図３５において右端部）すなわち機構盤用ヒンジ機構側の端部には、球貸機２００（図３２参照）の制御にかかるインターフェース制御基板５５が配置されている。また、インターフェース制御基板５５が、機構盤３０の後面側でかつ上枠部３０１の球貸機２００側の端部に対して前後方向に面する状態で配置されている。このため、インターフェース制御基板５５がホール作業者等の目につきやすく、そのインターフェース制御基板５５（詳しくは、コネクタ５５ａ）に対する球貸機２００の電気的接続作業を容易に行うことができる。
【００２８】
図１７及び図３３に示すように、前記機構盤３０の左側の側枠部３０３の左右両側面には、縦方向に延びる左右一対の側壁部３１０，３１１が一体形成されている。両側壁部３１０，３１１のうち、左側の側壁部３１０の前縁部３１０ａは、左側の側枠部３０３の前面よりも所定量突出している。これにより、左側の側枠部３０３の前面側に配線用空間部３１２が形成されている。配線用空間部３１２は、遊技盤６を装着する前記内枠体２０の後面側に機構盤３０を閉鎖したときに、その機構盤３０の閉鎖とともに遊技盤６によってその前面側が閉鎖される。また、左側の側枠部３０３の前面側には、適数個（図１７及び図３３では上下２個示す。）のクリップ片３１４が形成されている。クリップ片３１４は、ほぼＬ字状をなしており、弾性変形いわゆる撓み変形可能に形成されている。
【００２９】
図１７及び図３３に示すように、前記配線用空間部３１２には、パチンコ機１の遊技機本体４の後面側に配置される本体側電気部品の電気的な接続にかかる配線Ｗ１が経由させてある。なお、本明細書でいう「本体側電気部品」としては、前記球払出装置３６の払出用モータ、球発射装置４０の球発射モータ４１、各種制御基板、インターフェース制御基板、中継基板５３，５４等が相当する（図６参照）。また、配線Ｗ１は、機構盤３０のクリップ片３１４にそのクリップ片３１４の弾性変形を利用して整然と留められている。なお、配線Ｗ１は、機構盤３０に当該電気部品近くに形成された孔、溝等の配線用通路（図示省略）を通じて機構盤３０の後面側から配線用空間部３１２に引きこまれたり、逆に、配線用空間部３１２から機構盤３０の後面側へ引き出されている。
【００３０】
図１８及び図１９に示すように、前記遊技盤６は、ほぼ四角形板状に形成されたベース板６０を主体として形成されており、その前面に遊技盤面（符号省略）を有している。ベース板６０は、例えばベニヤ製であるが、その他の木製あるいは樹脂製であってもよく、その材質は限定されない。図１８に示すように、ベース板６０の前面には、区画壁６１が形成されている。区画壁６１は、左側のレール６１Ａと右側のレール６１Ｂと内側のレール６１Ｃとを備えている。左側のレール６１Ａ及び内側のレール６１Ｃは、例えば、金属製のレール材で、所定のレール幅を有する帯板材をほぼ半円状に曲げて形成されており、ベース板６０に対して図示しない釘によって装着されている（図３６参照）。左側のレール６１Ａの下部は、右下方に向けてなだらかに広がるように形成されている。また、内外に重複する左側のレール６１Ａと内側のレール６１Ｃの重複部分は、相互にほぼ平行をなすように形成されている。また、右側のレール６１Ｂは、右側のパネル飾り部材６９（後述する）のほぼ円弧状の凹形内側壁６１Ｂ（右側のレールと同一符号を付す）によって形成されている（図１８参照）。なお、左側のレール６１Ａの右端部は、右側のパネル飾り部材６９の凹形内側壁６１Ｂの上端部内側に沿って配置されている。また、左側のレール６１Ａの右端部は、右側のパネル飾り部材６９の凹形内側壁６１Ｂの下端部内側に沿って配置されている。
【００３１】
図１８に示すように、上記した各レール６１Ａ，６１Ｂ，６１Ｃの協働によって、ほぼ渦巻き状の区画壁６１が構成されている。また、区画壁６１によって、ベース板６０の前面すなわち遊技盤面上に、ほぼ円形状の遊技領域６３が区画されている。これとともに、左側のレール６１Ａと内側のレール６１Ｃとの間には、前記球発射装置４０の球発射ハンマー４２（図１４参照）によって、前記内枠体２０の発射レール部２４７（図１２及び図１３参照）上に発射されるパチンコ球Ｂを、遊技領域６３内に誘導する球案内路６４が形成されている。また、ベース板６０の下端部には、内側のレール６１Ｃの下端部に位置するアウト口６０ｂが形成されている。
【００３２】
また、図１８に示すように、前記ベース板６０の前面の遊技領域６３外、すなわち区画壁６１の外側には、左右のパネル飾り部材（囲繞部材とも呼ばれる）６８，６９が装着されている。各パネル飾り部材６８，６９は、例えば、樹脂製で、図１８に示すように、前記区画壁６１の左右両側に配置されており、該区画壁６１の外側面に倣う凹形内側壁を有する板状に形成されている。各パネル飾り部材６８，６９は、区画壁６１のレール幅（図１８において紙面表裏方向に関する幅）とほぼ等しい前後方向の厚さ（突出高さとも呼ばれる）ｈで、ベース板６０の前面上に装着されている（図１９参照）。また、図１５、図１６及び図１９に示すように、前記各パネル飾り部材６８，６９の前面（符号、６８ｃ、６９ｃを付す）は、遊技盤面に平行をなす平坦面に形成されている（図１５及び図１９参照）。
【００３３】
なお、本実施の形態では、遊技盤６のベース板６０に金属製のレール材（６１Ａ，６１Ｃ）と樹脂製のパネル飾り部材６９とにより区画壁６１を構成したが、金属製等のレール材のみによって区画壁を構成してもよい。この場合、パネル飾り部材６８，６９は省略することが可能である。また、樹脂製のパネル飾り部材のみによって区画壁を構成することができる。また、パネル飾り部材６８，６９には、レンズを組込みかつランプを内蔵したり、あるいは、パネル飾り部材６８，６９の前面側に凹凸面、色彩等の意匠を付したりすることによって、装飾性をもたせることができる。
【００３４】
また、前記ベース板６０の遊技領域６３内には、図示はしないが、各種の入賞装置、役物装置、図柄表示装置、アタッカ装置、ゲート口、風車器、誘導釘等が配設されている。また、前記ベース板６０の後面側には、前記各種の入賞装置、役物装置、図柄表示装置、アタッカ装置等を電気的に制御する制御基板を収納した制御ボックス装置６６が装着されている（図１９参照）。なお、上記した遊技盤６を前記内枠体２０の遊技盤装着枠部２１に装着する遊技盤６の装着構造については後ほど詳述する。また、上記したベース板６０を主体として、左側のレール６１Ａ、内側のレール６１Ｃ、制御ボックス装置６６、各パネル飾り部材６８，６９、各種の入賞装置、役物装置、図柄表示装置、アタッカ装置、ゲート口、風車器、誘導釘等が装着されることによって、遊技盤６が構成されている。
【００３５】
図１及び図２に示すように、前記内枠体２０の前面側における下端部には、例えば、樹脂製の下前板部材５８が設けられている。下前板部材５８の前面側には、下皿５９が一体的に形成されている。下皿５９の右側面には、前方から見て断面ほぼ「く」の字状の嵌合凹部５９ａが形成されている（図２８参照）。嵌合凹部５９ａは、前方及び右方に開放されているとともに、その後端部に奥底面５９ａ１を有している（図２９及び図３１参照）。また、下前板部材５８の右下部には、前記球発射装置４０を操作するための操作ハンドル４４（後述する）が配置されている（図５及び図３７参照）。なお、下前板部材５８は、遊技機本体４の一部を構成するものである。
【００３６】
図１及び図４に示すように、前記内枠体２０の前面側において、前記下前板部材５８の上側には、上皿部材７０が配置されている。上皿部材７０は、例えば、樹脂製で、ほぼ横長状に形成されており、その前面側に上皿７１が設けられている。図２に示すように、上皿部材７０は、その左側部が前記内枠体２０の左側部に上皿部材用ヒンジ機構（符号省略）を介して回動可能に支持されることにより、内枠体２０の前面側に開閉可能に設けられている。また、上皿部材７０における右側部の後面側には、内枠体２０に対して該上皿部材７０を閉じた状態に保持するための上皿部材用施錠金具７２が施錠及び解錠可能に配置されている（図２参照）。上皿部材７０は、閉鎖によって、下前板部材５８に形成された上皿嵌込み部５８ｄに嵌め込まれた状態に支持される（図２参照）。
【００３７】
次に、扉体８０を説明する。図４に示すように、扉体８０には、前記遊技盤６の遊技領域６３（図１８参照）にほぼ対応する遊技領域視認窓８０ａが形成されている。遊技領域視認窓８０ａは、遊技盤６の遊技領域６３を視認可能とするもので、斬新で特異な輪郭形状９６（後述する）に形成されている。
【００３８】
図１に示すように、前記扉体８０は、扉本体８２と、その扉本体８２の前面側を装飾する扉装飾体９０とを備えている。扉本体８２は、例えば、金属製で、その後面側に金属製の透視板装着枠８３が配設されている。図２２〜図２４に示すように、透視板装着枠８３は、遊技領域視認窓８０ａを取り囲むようにほぼ矩形状に枠組みされている。透視板装着枠８３には、ほぼ四角形板状をなす内外２枚の透視可能なガラス板あるいは樹脂板等からなる前後２枚の透視板８４が相互に所定間隔を隔てた状態で装着されている。なお、透視板装着枠８３に支持される透視板８４の枚数は、１枚あるいは３枚以上でもよい。
【００３９】
図１に示すように、前記扉体８０は、その扉本体８２の左側部が前記内枠体２０の左側部に扉体用ヒンジ機構（図示省略）を介して回動可能に支持されることにより、内枠体２０の前面側に開閉可能に設けられている。また、内枠体２０に扉体８０が閉じられることによって、両透視板８４を透して遊技盤６の遊技盤面が視認可能に閉鎖される。したがって、パチンコ機１の前方に居る遊技者は、両透視板８４を透して遊技盤６の遊技領域６３を視認することができる（図７〜図１１参照）。なお、図７〜図１１の各図においては、外枠体１０（図３参照）が省略されている。
【００４０】
図２２〜図２４に示すように、前記扉装飾体９０は、例えば、樹脂製で、扉本体８２の前面側に対して前記遊技領域視認窓８０ａの周囲を取り囲むように形成されている。扉装飾体９０は、発光装飾装置を備え、その扉装飾体９０の前面にはレリーフ調の凹凸による装飾が施されている（図２０及び図２１参照）。扉装飾体９０及び該扉装飾体９０にかかる発光装飾装置に関する構成については後ほど詳述する。
【００４１】
図３に示すように、前記内枠体２０の右側部には、施錠装置７５が装着されている。図１４に示すように、施錠装置７５は、装着基板７９と内枠体用施錠板７６と扉体用施錠板７８とシリンダー錠１５０とを備えている。装着基板７９は、内枠体２０の右側の側枠部２４４に装着されている。内枠体用施錠板７６は、上下の施錠フック７６ａ（図１２参照）を有している。また、扉体用施錠板７８は、上下の施錠フック７８ａ（図１及び図１２参照）を有している。図１４に示すように、各施錠板７６，７８は、それぞれ装着基板７９に対して上下方向にスライド可能に備えている。内枠体用施錠板７６は、ばね７７により常に上方へ付勢されている。また、扉体用施錠板７８は、ばね（図示省略）により常には下方へ付勢されている。また、シリンダー錠１５０は、装着基板７９に設けられている。シリンダー錠１５０のキー差込み孔（符号省略）は、前記下前板部材５８の右側部に設けられた鍵穴５８ａから前面側に露出されている（図１及び図４参照）。
【００４２】
前記内枠体２０の開放状態（図３参照）から、その内枠体２０が閉じられたときには、前記外枠体１０に固定されている上下の各係合部１６（図３参照）に対して、前記内枠体用施錠板７６の各施錠フック７６ａが係合する。これにより、外枠体１０に対して内枠体２０が閉じた状態すなわち閉鎖した状態に施錠される。また、この施錠状態において、前記下前板部材５８の鍵穴５８ａ（図４参照）からシリンダー錠１５０（図１２参照）のキー差込孔に鍵（図示省略）を挿入し、その鍵を一方向に回動操作する。これにより、内枠体用施錠板７６が下方へスライドされて、外枠体１０の各係合部１６に対する各施錠フック７６ａの係合が解除すなわち解錠される（図３参照）。
【００４３】
また、前記扉体８０の開放状態（図１参照）から、その扉体８０が閉じられたときには、前記扉本体８２に設けられている上下の各係合部８５（図１参照）に対して、前記扉体用施錠板７８（図１４参照）の各施錠フック７８ａが係合する。これにより、内枠体２０に対して扉体８０が閉じた状態すなわち閉鎖した状態に施錠される。また、この状態において、前記鍵を前記とは反対方向に回動操作することにより、扉体用施錠板７８が上方へスライドされて、扉本体８２の各係合部８５に対する各施錠フック７８ａの係合が解除すなわち解錠される（図１参照）。
【００４４】
次に、前記遊技盤６の構成を詳述する。図１８に示すように、ほぼ四角形板状に形成された前記ベース板６０の前面には、前に述べたように区画壁６１が形成されかつ左右のパネル飾り部材６８，６９が装着されている。ベース板６０の下端部には、前記上皿７１（図１参照）上への賞球の払出通路を形成のための開口凹部６０ｃが形成されている。
また、ベース板６０の右上隅角部には、スピーカ用凹部６０ｄが切欠き状に形成されている。スピーカ用凹部６０ｄは、前記内枠体２０のスピーカ取付用枠部２３を嵌合可能に形成されている（図２参照）。
また、図１８に示すように、ベース板６０の前記扉体用ヒンジ機構側（図１８において左側）の上隅角部には、ほぼ四角形をした切欠き状の切欠凹部６０ｅが形成されている。切欠凹部６０ｅは、前記内枠体２０の配線案内枠２２（後述する）を嵌合可能に形成されている（図２参照）。
【００４５】
図１８に示すように、前記ベース板６０の上側縁部６０ａ１及び下側縁部６０ａ２の前面は、両パネル飾り部材６８，６９で覆われておらず、その両側縁部６０ａ１，６０ａ２が露出された状態となっている。ベース板６０の下側縁部６０ａ２の前面には、係止端部６５ａを有する左右のロックレバー６５が、それぞれ軸６５ｂにより回動可能に設けられている。両ロックレバー６５は、回動させることによって、係止端部６５ａがベース板６０上に格納される格納位置（図１８中、二点鎖線６５ａ参照）と、その係止端部６５ａがベース板６０の下方へ突出するストッパ位置（図１８中、実線６５ａ参照）との二位置に切り替え可能になっている。
【００４６】
前記左側のパネル飾り部材６８の左側面には、上下の受入凹部６８ａが形成されている。上下の受入凹部６８ａは、前記区画壁６１の左側端部に近接する側縁部分（左側のパネル飾り部材６８の側縁部分６８ｂが相当する）を間に上下に配置されている。その上下の受入凹部６８ａの形成によって、前記ベース板６０の左側縁部６０ａ３の当該側縁部分が前面に露出されている。
また、前記右側のパネル飾り部材６９の右側面には、左側のパネル飾り部材６８の上下の受入凹部６８ａと左右対称状をなす上下の受入凹部６９ａが形成されている（図１９参照）。上下の受入凹部６９ａは、前記区画壁６１の右側端部に近接する側縁部分（右側のパネル飾り部材６９の側縁部分６９ｂが相当する）を間に上下に配置されている。その上下の受入凹部６９ａの形成によって、前記ベース板６０の右側縁部６０ａ４の当該側縁部分が前面に露出された状態となっている。
なお、各パネル飾り部材６８，６９の受入凹部６８ａ，６９ａの形成によって露出されたベース板６０の左側縁部６０ａ３及び右側縁部６０ａ４の前面は、本明細書でいう「規制面」に相当する。
【００４７】
また、図１８に示すように、前記左側のパネル飾り部材６８の上端部には、前記遊技盤６の切欠凹部６０ｅに連続する連通凹部６８ｄが形成されている。なお、連通凹部６８ｄは、本明細書でいう「連通部」に相当する。このため、連通凹部６８ｄに代えて、連通孔や連通溝を採用することが可能である。
【００４８】
次に、前記内枠体２０の遊技盤装着枠部２１の構成を詳述する。図１２及び図１３に示すように、遊技盤装着枠部２１の左上隅角部すなわち上枠部２４１と左側の側枠部２４４とによる隅角部には、配線案内枠２２が形成されている。配線案内枠２２は、開口窓２４６の当該隅角部に、はみ出している。配線案内枠２２内には、配線挿通孔２２ａが形成されている。配線案内枠２２は、前記遊技盤６のベース板６０の切欠凹部６０ｅ内に嵌合可能に形成されている。そして、内枠体２０の遊技盤装着枠２１に前記遊技盤６が嵌め込まれることによって、配線案内枠２２が遊技盤６のベース板６０の切欠凹部６０ｅ（図３６参照）内に嵌合されている（図１参照）。
図１に示すように、配線案内枠２２内の配線挿通孔２２ａには、本体側電気部品（後述する）と扉体側電気部品（後述する）とを電気的に接続する配線Ｗが挿通されている。配線案内枠２２は、扉体８０の開閉にともなって配線Ｗを摺動案内する。配線Ｗは、前記扉本体８２の扉体用ヒンジ機構側の上端部に設けられた配線孔８０ｂを通して扉本体８２内に引き込まれ、扉体側電気部品に接続されている。なお、配線案内枠２２は、本明細書でいう「配線案内部」に相当する。
【００４９】
また、図１２〜図１４に示すように、前記遊技盤装着枠部２１の下端部の中央部分には、前記遊技盤６のベース板６０のアウト口６０ｂ（図１８参照）に対応する凹溝部２０ｂが形成されている。
上記した遊技盤装着枠部２１に対して、前記遊技盤６（図１８参照）がその後方から着脱可能に嵌め込めるようになっている。
【００５０】
図１２〜図１４に示すように、前記遊技盤装着枠部２１には、その後方から嵌め込まれる前記遊技盤６のベース板６０に当接して該遊技盤６の前方への移動を規制する各係止部２４，２５，２７，２８が次のように設けられている。なお、遊技盤装着枠部２１を有する内枠体２０は、本明細書でいう「遊技盤装着枠」に相当する。
【００５１】
詳しくは、図１３〜図１５に示すように、前記遊技盤装着枠部２１の上縁部すなわち上枠部２４１の下縁部には、遊技盤６の露出されたベース板６０の上側縁部６０ａ１の前面に対して面接触状に当接可能な上側の係止部２４が枠内に向けて突出されている。
また、図１２〜図１４に示すように、遊技盤装着枠部２１の下縁部すなわち下枠部２４２の上縁部には、遊技盤６の露出されたベース板６０の下側縁部６０ａ２（図１８参照）の前面に対して面接触状に当接可能な下側の係止部２５が枠内に向けて突出されている。下側の係止部２５には、左右の開口孔２６ａが形成されている。各開口孔２６ａは、ベース板６０の格納位置にある前記ロックレバー６５（図１８中、二点鎖線６５ａ参照）を挿通可能に形成されている。
【００５２】
さらに、図１２〜図１４に示すように、前記遊技盤装着枠部２１の左側縁部すなわち左側の側枠部２４３の右縁部には、上下の左側の係止部２７が枠内に向けて突出されている。各左側の係止部２７は、前記遊技盤６（図１８参照）の左側のパネル飾り部材６８における各受入凹部６８ａに対して、相対的に嵌合可能で、かつ該受入凹部６８ａにより露出されたベース板６０の左側縁部６０ａ３の前面に対して面接触状に当接可能に形成されている。すなわち、左側の係止部２７は、前記区画壁６１（図１８参照）の左側端部に近接する遊技盤６の左側縁部分（左側のパネル飾り部材６８の側縁部分６８ｂが相当する）を除いた上方及び下方の左側縁部分に対応する位置関係をもって設けられている。
【００５３】
また、図１３、図１４及び図１６に示すように、前記遊技盤装着枠部２１の右側縁部すなわち右側の側枠部２４４の左縁部には、上下の右側の係止部２８が枠内に向けて突出されている（図１６参照）。各右側の係止部２８は、前記遊技盤６（図１８参照）の右側のパネル飾り部材６９における各受入凹部６９ａに対して、相対的に嵌合可能で、かつ該受入凹部６９ａにより露出されたベース板６０の右側縁部６０ａ４の前面に対して面接触状に当接可能に形成されている。すなわち、右側の係止部２８は、前記区画壁６１（図１８参照）の右側端部に近接する遊技盤６の右側縁部分（右側のパネル飾り部材６９の側縁部分６９ｂが相当する）を除いた上方及び下方の右側縁部分に対応する位置関係をもって設けられている。
なお、遊技盤装着枠部２１の各係止部２４，２５，２７，２８の前後方向の大きさ、いわゆる厚さは、遊技盤６の各パネル飾り部材６８，６９の厚さｈ（図１９参照）とほぼ等しい大きさで形成されている。
【００５４】
また、図１５及び図１６に示すように、前記左右の各係止部２７，２８の前面（符号、２７ｃ、２８ｃを付す）は、遊技盤面に平行をなす平坦面で、かつ前記遊技盤装着枠部２１に前記遊技盤６を装着したときに前記各パネル飾り部材６８，６９の前面６８ｃ，６９ｃとほぼ同一平面をなすように形成されている。なお、前記上下の各係止部２４，２５の前面（符号、２４ｃ、２５ｃを付す。図９、図１３及び図１５参照）についても、左右の各係止部２７，２８の前面２７ｃ，２８ｃと同様に、遊技盤面に平行をなす平坦面で、かつ遊技盤装着枠部２１に遊技盤６を装着したときに各パネル飾り部材６８，６９の前面６８ｃ，６９ｃとほぼ同一平面をなすように形成されている。
【００５５】
さらに、図１２〜図１４に示すように，前記各係止部２４，２５，２７，２８は、前記遊技盤装着枠部２１とともに前記内枠体２０に一体形成されている。
また、内枠体２０は、前記各パネル飾り部材６８，６９と同色又は類似色に着色されている。例えば、内枠体２０及び各パネル飾り部材６８，６９は、黒色あるいは黒色に近い暗色に着色されている。これにより、各パネル飾り部材６８，６９の表面と各係止部２４，２５，２７，２８の表面は、同色又は類似色をなしている。なお、本明細書でいう「パネル飾り部材６８，６９の表面」とは、少なくとも前面６８ｃ，６９ｃであり、それに連続した側面を含むことができる。また、本明細書でいう「係止部２４，２５，２７，２８の表面」とは、少なくとも前面２４ｃ，２５ｃ，２７ｃ，２８ｃ（図１３参照）であり、それに連続した側面を含むことができる。
【００５６】
また、前記各パネル飾り部材６８，６９と各係止部２４，２５，２７，２８の素材色が異なる場合には、各パネル飾り部材６８，６９の表面と各係止部２４，２５，２７，２８の表面の少なくとも一方に塗料を塗装したり、あるいは着色されたシールを接着したりして、各パネル飾り部材６８，６９の表面と各係止部２４，２５，２７，２８の表面を同色又は類似色にすることができる。
【００５７】
次に、前記内枠体２０の遊技盤装着枠部２１に対する前記遊技盤６の装着構造を詳述する。内枠体２０に対して機構盤３０が開かれた状態において、該内枠体２０の遊技盤装着枠部２１に対してその後方から遊技盤６を嵌め込む（図７〜図１１参照）。このとき、遊技盤６のロックレバー６５は、格納位置にあるものとする（図１８中、二点鎖線６５ａ参照）。なお、この状態においては、内枠体２０から遊技盤６を後方へ抜き外すことができる。
【００５８】
上記したように、内枠体２０の遊技盤装着枠部２１に対して遊技盤６が嵌め込まれる。すると、遊技盤装着枠部２１の上側の係止部２４に対してベース板６０の上側縁部６０ａ１が当接されるとともに、該遊技盤装着枠部２１の下側の係止部２５に対してベース板６０の下側縁部６０ａ２の前面が当接される（図７、図８及び図９参照）。また、遊技盤装着枠部２１の左側の係止部２７に対して、遊技盤６の左側のパネル飾り部材６８の各受入凹部６８ａが嵌合され、かつベース板６０の左側縁部６０ａ３が当接される（図１１参照）。これとともに、遊技盤装着枠部２１の右側の係止部２８に対して、遊技盤６の右側のパネル飾り部材６９の各受入凹部６９ａが嵌合され、かつベース板６０の右側縁部６０ａ４が当接される（図１１参照）。したがって、遊技盤装着枠部２１の各係止部２４，２５，２７，２８によって、ベース板６０の前方への移動が規制され、ひいては遊技盤６の前方への移動が規制されることになる。
【００５９】
続いて、前記遊技盤６のロックレバー６５をロック位置（図１８中、実線６５ａ参照）に回動させることにより、遊技盤装着枠部２１における各開口孔２６ａ（図１２及び図１３参照）の口縁部の前面に対して、該ロックレバー６５の係止端部６５ａが面接触状に係合される（図２参照）。なお、遊技盤６を取外す際には、ロックレバー６５を格納位置（図１８中、二点鎖線６５ａ参照）に切り替えればよい。
その後、前記内枠体２０に前記機構盤３０を閉じた状態で、締付具２９が締付けられる（図３及び図６参照）。これによって、機構盤３０が閉じ状態に保持されるとともに、ベース板６０が機構盤３０により遊技盤装着枠部２１の各係止部２４，２５，２７，２８に押付けられて固定されることによって、遊技盤６が固定状態に保持される（図７〜図１１参照）。
【００６０】
上記したパチンコ機１においては、遊技盤６の前面における左側縁部及び右側縁部に対応する遊技盤装着枠部２１の左右それぞれの上下の各係止部２７，２８が、区画壁６１の当該側端部に近接する遊技盤６の側縁部分（左右のパネル飾り部材６８，６９の側縁部分６８ｂ，６９ｂ（図１８参照）が相当する）を除いた上方及び下方の側縁部分に対応する位置関係をもって設けられている（図１２〜図１４参照）。このため、従来では小さい外形（図１８の二点鎖線６１Ｘ参照）にせざるを得なかった区画壁６１の外形（外径）を、図１８に実線６１で示すように拡大することができ、ひいては遊技領域６３を拡大することが可能となる。また、これとともに、パチンコ機１の横幅の拡大や、遊技盤６（詳しくはベース板６０）の歪みの発生等の不具合も回避することができる。
【００６１】
また、遊技盤６の遊技領域６３外の左右のパネル飾り部材６８，６９に設けられた受入凹部である受入凹部６８ａ，６９ａに左右それぞれの上下の各係止部２７，２８が受入れられ、該係止部２７，２８とベース板６０の左側縁部６０ａ３及び右側縁部６０ａ４の前面とが当接し合う。これによって、左右のパネル飾り部材６８，６９が突設された遊技盤６において凹凸嵌合による簡単な構造で、遊技盤６の前方への移動を確実に規制することができる。また、両パネル飾り部材６８，６９に各係止部２７，２８を直接的に当接させる場合に予測される両パネル飾り部材６８，６９の前面側の撓みや割れ等の不具合の発生を防止あるいは低減することができる。なお、両パネル飾り部材６８，６９に各係止部２７，２８を直接的に当接させる構成としてもよい。
【００６２】
また、遊技盤装着枠部２１に遊技盤６を装着したときに、遊技盤６の各パネル飾り部材６８，６９の前面６８ｃ，６９ｃと、遊技盤装着枠部２１の各係止部２４，２５，２７，２８の前面２４ｃ，２５ｃ，２７ｃ，２８ｃとが、ほぼ同一平面をなすことなる（図７〜図９及び図１１参照）。これにより、各パネル飾り部材６８，６９の前面６８ｃ，６９ｃと遊技盤装着枠部２１の各係止部２４，２５，２７，２８の前面２４ｃ，２５ｃ，２７ｃ，２８ｃが、違和感の軽減された意匠を呈することができる。
【００６３】
なお、各係止部２４，２５，２７，２８の前面２４ｃ，２５ｃ，２７ｃ，２８ｃと各パネル飾り部材６８，６９の前面６８ｃ，６９ｃは、異なる突出高さをもって形成することができる。また、各係止部２４，２５，２７，２８の前面２４ｃ，２５ｃ，２７ｃ，２８ｃと各パネル飾り部材６８，６９の前面６８ｃ，６９ｃは、平坦面に限らず、凹凸面によって形成することができる。
【００６４】
また、各パネル飾り部材６８，６９の表面と各係止部２４，２５，２７，２８の表面が、同色又は類似色をなしている。これにより、遊技盤６のパネル飾り部材６８，６９の表面と遊技盤装着枠部２１の係止部２７，２８の表面が違和感の軽減された意匠を呈することができる。なお、内枠体２０と各パネル飾り部材６８，６９は、同色又は類似色に限らず、異なる色に着色することができる。また、各パネル飾り部材６８，６９の表面と各係止部２４，２５，２７，２８の表面は、同色又は類似色に限らず、異なる色にすることができる。
【００６５】
また、各係止部２４，２５，２７，２８が、遊技盤装着枠部２１に一体形成されている（図１２〜図１４参照）。これにより、遊技盤装着枠部２１に別部品としての各係止部２４，２５，２７，２８を組付ける場合に比べて、部品点数及び組付工数を削減することができる。なお、各係止部２４，２５，２７，２８は、遊技盤装着枠部２１とともに内枠体２０に一体形成する他、内枠体２０と別体で形成される遊技盤装着枠部２１に一体形成することができる。また、各係止部２４，２５，２７，２８は、遊技盤装着枠部２１と別体で形成したものを遊技盤装着枠部２１に取付けるようにしてもよい。
【００６６】
なお、上記実施の形態では、遊技盤装着枠部２１に対して、遊技盤６を後方から着脱可能に嵌め込んだ状態で支持したが、これとは逆に、遊技盤装着枠部２１に対して、遊技盤６を前方から着脱可能に嵌め込んだ状態で支持してもよい。この場合、遊技盤装着枠部２１の係止部は、例えば、ベース板６０に設けたロックレバー６５とほぼ同様の回動式の係止部とすることが考えられる。すなわち、遊技盤６を嵌め込むときはその嵌め込みを可能とする格納位置に係止部を位置させておき、遊技盤６を嵌め込んだ後で係止部をロック位置に回動させることによって該係止部をベース板６０の当該側縁部に係合させて遊技盤６を固定する。
また、内枠体２０に遊技盤装着枠部２１を一体形成したが、内枠体２０の主体部分とは別体で形成した遊技盤装着枠部２１をその主体部分に一体化してもよい。また、左側の係止部２７又は右側の係止部２８の一方は、上下方向に連続的に形成することができる。また、上下の左側の係止部２７のどちらか一方は省略することができる。また、上下の右側の係止部２８のどちらか一方は省略することができる。また、左側の係止部２７又は右側の係止部２８の縦方向長さは、適宜変更することができる。また、ベース板６０とパネル飾り部材６８，６９を樹脂成形によって一体形成するすることができる。この場合は、その囲繞部に係止部２７，２８を受入可能でかつ該係止部２７，２８が当接する規制面を形成する受入凹部を形成することができる。このとき、規制面は、ベース板の前面に相当する位置、すなわち基本的強度を確保するベース板部の前面に形成する。
【００６７】
また、前記遊技盤６のベース板６０の切欠凹部６０ｅ内には、前記内枠体２０の遊技盤装着枠部２１に形成した配線案内枠２２が配置されている（図１参照）。このため、機構盤３０の左上部に設けられた両中継基板５３，５４（図６参照）等から扉体８０のランプ等（後述する）への配線Ｗ（図１参照）を配線案内枠２２の配線挿通孔２２ａ内に通すことができ、これにより、該配線Ｗの取り回しを容易に行うことができる。ちなみに、従来では遊技盤６の下方を横切るようにして前記配線が煩雑に取り回されていたのに対して、遊技盤６の切欠凹部６０ｅ内における配線案内枠２２の配線挿通孔２２ａを利用することによって、配線Ｗの取り回しを容易に行うことができる。さらに、前記遊技盤６の切欠凹部６０ｅが該遊技盤６の上側の隅角部に形成されているので、遊技盤６の上半部に集中する多くの配線Ｗに必要とされる長さを短縮することかできる。また、前記遊技盤６の切欠凹部６０ｅが内枠体２０のヒンジ側（本実施の形態の場合、左側）に形成されているので、外枠体１０に対する内枠体２０の開閉にともなう配線Ｗの伸縮量を短縮することができる。
【００６８】
次に、前記扉体８０の扉装飾体９０及び発光装飾装置の構成を詳述する。図２１に示すように、扉装飾体９０は、遊技領域視認窓８０ａの左右上下を取り囲む左側の装飾部１００と右側の装飾部１１０と上側の装飾部１２０と下側の装飾部１３０とによって構成されている。これら装飾部材１００，１１０，１２０，１３０の口縁部には、環状のモール９１が取り付けられている。モール９１は、複数（例えば、左右上下の計４個）に分割された金属製のモール材９２，９３，９４，９５の組合わせによって一連状に形成されている。
【００６９】
前記モール９１の内周縁によって、前記遊技領域視認窓８０ａの輪郭形状９６が次に説明するように所定形状に形成されている。遊技領域視認窓８０ａの輪郭形状９６は、前記遊技盤６の区画壁６１（図１８参照）における大半を占める外径の円周線（基準円と呼ぶ）ＣＬに準ずる異形の円環状に形成されている。詳しくは、輪郭形状９６の左右側部における上下方向の中央部９６ｂ，９６ｆは、基準円ＣＬ上にほぼ位置している。また、輪郭形状９６のうち対角状に位置する左下部９６ａ及び右上部９６ｅは、基準円ＣＬよりも外方へ膨出されている。なお、輪郭形状９６の左下部９６ａ及び右上部９６ｅは、それぞれ本明細書でいう「膨出部」に相当する。
また、輪郭形状９６のうち対角状に位置する左上部における下半部９６ｃ及び右下部における上半部９６ｈは、前記左下部９６ａ及び右上部９６ｅの膨出量よりも小さい膨出量をもって基準円ＣＬよりも外方に膨出されている。なお、輪郭形状９６の左上部における下半部９６ｃ及び右下部における上半部９６ｈは、それぞれ本明細書でいう「膨出部」に相当する。
また、輪郭形状９６のうち対角状に位置する左上部における上半部９６ｄ及び右下部における下半部９６ｉは、基準円ＣＬよりも僅かに内方に絞られている。
【００７０】
上記輪郭形状９６は、周方向に亘ってなだらかに連続する曲線によって連続されており、上下方向の中央部９６ｂ，９６ｆを絞った中絞り状でかつ左右非対称及び上下非対称をなす、いわゆる「鏡餅形状」あるいは「ひょうたん形状」あるいは「まゆ玉形状」に類似する異形の円環状に形成されている。
さらには、輪郭形状９６の四隅部（左上部、右上部、左下部、右下部の四隅が相当する）のうちの対角状をなす左下部９６ａ及び右上部９６ｅが前記基準円ＣＬより外方へ膨出した、概念的には平行四辺形状にも類似する形状をなしている。また、輪郭形状９６の左下部９６ａ、中央部９６ｂ及び左上部の下半部９６ｃと、右上部９６ｅ、中央部９６ｆ及び右下部の上半部９６ｈは、波状の曲線部（９６ａ−ｂ−ｃ，９６ｅ−ｆ−ｈと記す）によって連続されている。
【００７１】
上記したように、遊技領域視認窓８０ａの輪郭形状９６は、上下方向の中央部９６ｂ，９６ｆを絞った異形の円環状に形成されているので、一般的なパチンコ機に見られる円環状、あるいは四角形状等の輪郭形状に比べると、斬新で特異な輪郭形状９６を呈する。したがって、斬新で特異な輪郭形状９６を呈する遊技領域視認窓８０ａを備えたパチンコ機１を提供することができる。
また、前記遊技領域視認窓８０ａの輪郭形状９６が波状の曲線部（９６ａ−ｂ−ｃ，９６ｅ−ｆ−ｈ）を含んでいることによっても、斬新で特異な輪郭形状９６を呈することができる。
また、前記遊技領域視認窓８０ａの輪郭形状９６が左右方向に関して非対称状に形成されていることによっても、斬新で特異な輪郭形状９６を呈することができる。
また、前記遊技領域視認窓８０ａの輪郭形状９６が上下方向に関して非対称状に形成されていることによっても、斬新で特異な輪郭形状９６を呈することができる。
【００７２】
また、前記遊技領域視認窓８０ａの輪郭形状９６が対角状に位置する膨出部（左下部９６ａ及び右上部９６ｅ、左上部における下半部９６ｃ及び右下部における上半部９６ｈ）を有していることによっても、斬新で特異な輪郭形状９６を呈することができる。
さらに、輪郭形状９６の膨出部（左下部９６ａ及び右上部９６ｅ、左上部における下半部９６ｃ及び右下部における上半部９６ｈ）は、遊技領域視認窓８０ａの視認可能な範囲を部分的に拡大することができる。
また、輪郭形状９６の左下部９６ａ及び右上部９６ｅは、前記基準円ＣＬ（図２１参照）から外方への膨出量を大きくしたことにより、前記遊技盤６（図１８参照）の区画壁６１外すなわち遊技領域６３外の左右のパネル飾り部材６８，６９の当該部分を前記透視板８４を透して視認することができる。
【００７３】
なお、上記した遊技領域視認窓８０ａの輪郭形状９６は、次のように変更することができる。例えば、遊技領域視認窓８０ａの輪郭形状９６の左上部における上半部９６ｄ及び右下部における下半部９６ｉのいずれか一方のみを絞る形状としてもよい。これとともに、前記遊技領域視認窓８０ａの輪郭形状９６が波状の曲線部９６ａ−ｂ−ｃ，９６ｅ−ｆ−ｈを一方は省略することができる。また、遊技領域視認窓８０ａの輪郭形状９６を左右方向に関して非対称状でなく、対称状に形成してもよい。また、遊技領域視認窓８０ａの輪郭形状９６を上下方向に関して非対称状でなく、対称状に形成してもよい。また、遊技領域視認窓８０ａの輪郭形状９６の膨出部は、左下部９６ａ、右上部９６ｅ、左上部における下半部９６ｃ、右下部における上半部９６ｈのうち、少なくとも一箇所のみが膨出部であればよい。また、遊技領域視認窓８０ａの輪郭形状９６の左上部における上半部９６ｄ及び右下部における下半部９６ｉは、遊技領域６３がほとんど隠れない形状であってもよい。
【００７４】
ところで、遊技盤６の遊技領域６３外には、「遊技者向け情報」（図２１中、二点鎖線Ｚｂ参照）と「検査者向け情報」（図２１中、二点鎖線Ｚａ参照）とを表示する必要がある。「遊技者向け情報」（図２１中、二点鎖線Ｚｂ参照）とは、当該パチンコ機１の機種名、出球確率、賞球数、確率変動割合、リミッタの有無等の情報である。また、「検査者向け情報」（図２１中、二点鎖線Ｚａ参照）とは、パチンコ機１の検査に必要とされる各種情報である。なお、各情報は、各情報を記載したそれぞれの識別シール、証紙等を遊技盤６の遊技領域６３外に貼付することによって表示されている。
【００７５】
そこで、例えば、「検査者向け情報」（図２１中、二点鎖線Ｚａ参照）を、前記遊技領域視認窓８０ａの輪郭形状９６の対角状をなす膨出部のうちの一方、例えば、左下部９６ａ内で視認可能な部位、すなわち左側のパネル飾り部材６８の当該部分に表示することができる。また、「遊技者向け情報」（図２１中、二点鎖線Ｚｂ参照）を、前記遊技領域視認窓８０ａの輪郭形状９６の対角状をなす膨出部のうちの他方、例えば、右上部９６ｅ内で視認可能な部位、すなわち右側のパネル飾り部材６９の当該部分に表示することができる。
したがって、輪郭形状９６の膨出部（左下部９６ａ、右上部９６ｅ）内の視認可能な部位に、検査者向け情報（図２１中、二点鎖線Ｚａ参照）、遊技者向け情報（図２１中、二点鎖線Ｚｂ参照）等を配置することにより、それらの情報を容易に視認可能に表示することができる。
【００７６】
さらに、前に述べたように、「遊技者向け情報」（図２１中、二点鎖線Ｚｂ参照）は、遊技者から見やすい位置すなわち遊技者の通常の目線高さに近い位置である、前記輪郭形状９６の右上部９６ｅ内に表示することができる。これとともに、遊技者が必要としない「検査者向け情報」（図２１中、二点鎖線Ｚａ参照）は、遊技者から見えにくい位置すなわち遊技者の通常の目線高さ及び「遊技者向け情報」から遠く離れた位置である、前記輪郭形状９６の左下部９６ａ内に表示することができる。なお、上記した「遊技者向け情報」（図２１中、二点鎖線Ｚｂ参照）と「検査者向け情報」（図２１中、二点鎖線Ｚａ参照）とは、上記と逆配置で表示することもできる。
【００７７】
また、従来の遊技領域視認窓の輪郭形状が円環状である場合には、各情報Ｚａ，Ｚｂを表示するために、扉体８０に対して遊技領域視認窓とは別に当該情報を表示するための情報表示窓をわざわざ設ける必要があったが、本実施の形態によればそのような専用の情報表示窓を形成する必要がない。
また、従来の遊技領域視認窓の輪郭形状が四角形状等である場合は、各情報を表示するための情報表示窓を設けることなく、当該情報を表示することができる。しかし、この場合、デザインを施すことのできる扉装飾体における遊技領域視認窓の周囲に装飾を施すための装飾面積が大幅に制限されてしまうので、これまたパチンコ機の意匠に斬新さを求めることができないが、本実施の形態によればデザインを施すことのできる扉装飾体９０の装飾面積の制限を最小限にして、パチンコ機１の意匠を斬新なものとすることができる。
【００７８】
また、前記遊技領域視認窓８０ａの輪郭形状９６の右上部９６ｅに代えて、その左上部（下半部９６ｃ及び上半部９６ｄ）を前記基準円ＣＬ（図２１参照）より外方へ膨出してもよい。また、その輪郭形状９６の左下部９６ａに代えて、その右下部（上半部９６ｈ及び下半部９６ｉ）を基準円ＣＬよりも外方に膨出してもよい。すなわち、遊技領域視認窓８０ａの輪郭形状９６における対角状をなす部分（例えば、左下部９６ａ及び右上部９６ｅ、又は、左上部及び右下部）が、基準円ＣＬよりも外方へ膨出した形状であれば、前記と同様の作用・効果を得ることができる。
【００７９】
また、前記遊技領域視認窓８０ａの輪郭形状９６の左上部における上半部９６ｄ及び右下部における下半部９６ｉが基準円ＣＬよりも僅かに内方に絞られているため、当該部分における遊技領域６３が僅かに隠れる形状、すなわち遊技に支障をきたさない程度に隠る形状としている。このことによっても、遊技領域視認窓８０ａの輪郭形状９６が斬新な形状といえる。
【００８０】
しかして、図２１に示すように、前記モール９１は、前記遊技領域視認窓８０ａの輪郭形状９６に沿って形成されていることにより、モール９１の稜線９１ｒが周方向に波形状に曲がりくねった形状となっている。
さらに、図２１に示すように、モール９１は、前方へほぼ山形状に突出する断面Ｖ字状に形成されている（図７〜図１１参照）。モール９１の前面側の内外の両斜面９１ａ，９１ｂは、鏡面いわゆる反射面（斜面と同一符号を付す）として形成されている。これにより、モール９１の内側の斜面である内向き反射面９１ａは、前記遊技領域視認窓８０ａの内周側前方に指向しているため、主に遊技領域６３を反射するすなわち映し出すことにより該遊技領域６３を広く見せることができる。また、外側の斜面である外向き反射面９１ｂは、前記遊技領域視認窓８０ａの外周側前方に指向しているため、主に外周の扉装飾体９０の前面すなわち装飾面を遊技者及びその遊技者の居る通路を通る通行者に向けて反射するすなわち映し出すことにより、パチンコ機１の装飾性を高めることができる。
【００８１】
上記したように、輪郭形状９６に沿った内向き反射面９１ａ及び外向き反射面９１ｂを有するモール９１によって、遊技領域視認窓８０ａの斬新で特異な輪郭形状を一層きわだてることができる。ひいては、パチンコ機１の遊技の興趣を高めることが可能である。なお、上記したモール９１の内向き反射面９１ａ及び外向き反射面９１ｂの一方は省略することができる。また、モール９１の反射面９１ａは、傾斜しない反射面、すなわち遊技機の前方に面する反射面、遊技領域視認窓８０ａの内周側に面する反射面の少なくとも一方の反射面によって構成してもよい。
【００８２】
さらに、前記遊技領域視認窓８０ａの輪郭形状９６（図２１参照）の形状に応じて、前記モール９１の稜線９１ｒの高さ（前方への突出量）が周方向に変化し（図７〜図１１参照）、これとともにモール幅（稜線９１ｒに交差する方向の幅）が周方向に変化している。これにより、モール９１が周方向に変則的な立体感を呈する形状となっている。
【００８３】
また、図２１に示すように、前記扉装飾体９０を構成する各装飾部１００，１１０，１２０，１３０の相互の区画線Ｃ１，Ｃ２，Ｃ３，Ｃ４は、前記モール９１の外形に連続する湾曲形状に形成されている。すなわち、左側の装飾部１００と上側の装飾部１２０との区画線Ｃ１は、モール９１の左上部から上左方へ向かって左カーブを描いて湾曲している。また、上側の装飾部１２０と右側の装飾部１１０との区画線Ｃ２は、モール９１の右上部９６ｅから上右方へ向かって右カーブを描いて湾曲している。また、右側の装飾部１１０と下側の装飾部１３０との区画線Ｃ３は、モール９１の右下部から下方へ向かって左カーブを描いて湾曲している。また、下側の装飾部１３０と左側の装飾部１００との区画線Ｃ４は、前記モール９１の左下部９６ａから下方へ向かって右カーブを描いて湾曲している。
【００８４】
前記左側の装飾部１００及び前記右側の装飾部１１０は、その中央部が遊技領域視認窓８０ａの輪郭形状９６に準じる形状で前方に向けて断面凸型円弧状に隆起する断面形状で形成されている（図２２及び図２３参照）。左右の装飾部１００，１１０の稜線１００ｒ，１１０ｒ（図２１に仮想線で示す）は、前記モール９１の稜線９１ｒよりも高く、縦方向に波形状に変化している（図７及び図８参照）。さらに、左側の装飾部１００の稜線１００ｒは、前記モール９１の左側部の外形形状に対して緩やかに倣う形状で形成されている。また、右側の装飾部１１０の稜線１１０ｒは、前記モール９１の右側部の外形形状に対して緩やかに倣う形状で形成されている。
上記したように、遊技領域視認窓８０ａの周囲すなわち左右両側には、モール９１すなわち遊技領域視認窓８０ａの輪郭形状９６に準じる形状でかつ前方へ隆起する装飾部１００，１１０が設けられている。これにより、遊技領域視認窓８０ａの左右両側に立体感のある装飾を施すことができる。
【００８５】
しかして、前記左側の装飾部１００における稜線１００ｒの上下の各端部が左方に向けられているとともに、前記右側の装飾部１１０における稜線１１０ｒの上下の各端部が右方に向けられている。これにより、図３２に示すように、ホール等においてパチンコ機１を複数並べた際に、左右に隣合うパチンコ機１における左側の装飾部１００の稜線１００ｒと右側の装飾部１１０の稜線１１０ｒが互いに連続状をなすように形成されている。したがって、ホール等に複数のパチンコ機１を相互に連続する意匠をもって設置することができる。なお、図３２において、パチンコ機１の相互間には、カード式球貸機２００が挟まれた状態で配置されている。
【００８６】
図２１に示すように、前記左側の装飾部１００には、その稜線１００ｒに沿って一連状をなす上中下の３本の樹脂製の左側レンズ１０２ａ，１０２ｂ，１０２ｃが設けられている（図２０参照）。各左側レンズ１０２ａ，１０２ｂ，１０２ｃは、例えば、赤色の拡散レンズで縦長状に形成されており、左側の装飾部１００に開口されたそれぞれのレンズ取付孔（符号省略）に対してそれぞれ嵌合した状態で装着されている（図２２及び図２３参照）。また、各左側レンズ１０２ａ，１０２ｂ，１０２ｃの横幅（図２１において左右方向の幅）は、当該稜線１００ｒの湾曲の度合に応じて増減されている。これにより、各左側レンズ１０２ａ，１０２ｂ，１０２ｃが縦方向に変則的な立体感を呈する形状となっている。なお、各左側レンズ１０２ａ，１０２ｂ，１０２ｃが縦方向に複数（本実施の形態では３個を示す）に分割されていることにより、一本につながったレンズに比べて、装飾性をほとんど損なうことなく、レンズ強度を確保するとともに、各左側レンズ１０２ａ，１０２ｂ，１０２ｃの成形性を向上することができる。
【００８７】
図２１に示すように、前記左側の装飾部１００には、上部に配置された左側レンズ１０２ａを間に、左右の樹脂製の上部レンズ１０３ａ，１０３ｂが設けられている（図２０参照）。各上部レンズ１０３ａ，１０３ｂは、例えば、白色の拡散レンズで形成されており、左側の装飾部１００に開口されたそれぞれのレンズ取付孔（符号省略）に対してそれぞれ嵌合した状態で装着されている（図２２参照）。また、各上部レンズ１０３ａ，１０３ｂは、上部の左側レンズ１０２ａに対して相互に所定間隔を隔てて配置されており、当該左側レンズ１０２ａの当該側縁部の形状に対して緩やかに倣うほぼ三日月形状に形成されている。また、各上部レンズ１０３ａ，１０３ｂの横幅（図２１において左右方向の幅）は、当該稜線１００ｒの湾曲の度合に応じて増減されている。これにより、各上部レンズ１０３ａ，１０３ｂが縦方向に変則的な立体感を呈する形状となっている。
【００８８】
図２２及び図２３に示すように、前記扉本体８２の前面側には、前記左側の装飾部１００で取り囲まれた空間部１０４が形成されている。そして、扉本体８２の前面側には、前記各左側レンズ１０２ａ，１０２ｂ，１０２ｃにそれぞれ対応する各ランプ基板１０５（下部の左側レンズ１０２ｃに対応するランプ基板は図示されていない）と、前記各上部レンズ１０３ａ，１０３ｂにそれぞれ対応する各ランプ基板１０７が配置されている。各ランプ基板１０５，１０７の前面側には、それぞれ当該レンズ形状及び面積に対応する所定数（例えば、３〜１２個）の各ランプ１０６，１０８が配置されている。各ランプ１０６，１０８には、例えば、発光ダイオード（ＬＥＤと呼ばれている）が採用されている。各ランプ１０６，１０８が点灯することにより、そのランプ１０６，１０８から出射される光が当該レンズ１０２ａ，１０２ｂ，１０２ｃ，１０３ａ，１０３ｂを透して前方へ拡散され、該レンズ全体が明るく照らし出される。このため、例えば、ホールの島の間を歩行する遊技者がパチンコ機１を左方又は右方から見る角度によって、各レンズ１０２ａ，１０２ｂ，１０２ｃ，１０３ａ，１０３ｂがほぼ波形状に照らし出されることにより、電飾効果を高めることができる。また、各左側レンズ１０２ａ，１０２ｂ，１０２ｃのランプ１０６は、例えば、所定時間毎に点灯、消灯を繰り返すようになっている。また、各上部レンズ１０３ａ，１０３ｂのランプ１０８は、例えば、賞球にかかるエラー時、賞球払出時、ガラス枠の開放時、球切れ時等に点灯あるいは点滅するようになっている。
【００８９】
図２１に示すように、前記各左側レンズ１０２ａ，１０２ｂ，１０２ｃと前記モール９１との間における左側の装飾部１００の縦方向部分（符号、１０９を付す）は、その左右方向の中央部が前方に向けて断面凸型Ｖ字状に隆起する断面形状で形成されている。その縦方向部分１０９の稜線１０９ｒの高さは、縦方向に波形状に変化している。
【００９０】
図２１に示すように、前記右側の装飾部１１０には、その稜線１１０ｒに沿って一連状をなす上中下の３本の樹脂製の右側レンズ１１２ａ，１１２ｂ，１１２ｃが設けられている（図２０参照）。各右側レンズ１１２ａ，１１２ｂ，１１２ｃは、前記左側の装飾部１００の左側レンズ１０２ａ，１０２ｂ，１０２ｃと同様に、例えば、赤色の拡散レンズで形成されており、右側の装飾部１１０に開口されたそれぞれのレンズ取付孔（符号省略）に対してそれぞれ嵌合した状態で装着されている（図２２及び図２３参照）。また、各右側レンズ１１２ａ，１１２ｂ，１１２ｃの横幅（図２１において左右方向の幅）は、当該稜線１１０ｒの湾曲の度合に応じて増減されている。これにより、各右側レンズ１１２ａ，１１２ｂ，１１２ｃが縦方向に変則的な立体感を呈する形状となっている。なお、各右側レンズ１１２ａ，１１２ｂ，１１２ｃは、前記各左側レンズ１０２ａ，１０２ｂ，１０２ｃと同様、装飾性をほとんど損なうことなく、レンズ強度を確保するとともに、各右側レンズ１１２ａ，１１２ｂ，１１２ｃの成形性を向上することができる。
【００９１】
図２２に示すように、前記右側の装飾部１１０には、上部に配置された右側レンズ１１２ａを間に、左右の音透し孔１１１ａ，１１１ｂが設けられている。また、各音透し孔１１１ａ，１１１ｂは、上部の右側レンズ１１２ａ，１１２ｂに対して相互に所定間隔を隔てて形成されており、当該右側レンズ１１２ａの当該側縁部の形状に対して緩やかに倣うほぼ三日月形状に形成されている（図２１参照）。また、各音透し孔１１１ａ，１１１ｂの横幅（図２１において左右方向の幅）は、当該稜線１１０ｒの湾曲の度合に応じて増減されている。
【００９２】
図４に示すように、前記各音透し孔１１１ａ，１１１ｂは、前記内枠体２０に装着されたスピーカ５６のほぼ前方に位置している（図４参照）。しかして、図９に示すように、前記扉本体８２には、前記スピーカ５６に対応するスピーカ用開口孔（符号省略）が形成されている。このため、前記スピーカ５６から発せられる音が、扉本体８２のスピーカ用開口孔、右側の装飾部１１０内の空間部１１４（後述する）、及び、各音透し孔１１１ａ，１１１ｂを透して、前方（図２１において右方）へ放射されやすくなっている。
また、各音透し孔１１１ａ，１１１ｂの間の上部の右側レンズ１１２ａとスピーカ５６とが相前後して重畳配置されている（図４参照）。これにより、スピーカ５６を合理的に配置することができ、該スピーカ５６の配置スペースを削減することができる。
【００９３】
図２２及び図２３に示すように、前記扉本体８２の前面側には、前記右側の装飾部１１０で取り囲まれた空間部１１４が形成されている。そして、扉本体８２の前面側には、前記各右側レンズ１１２ａ，１１２ｂ，１１２ｃにそれぞれ対応する各ランプ基板１１５（下部の右側レンズ１１２ｃに対応するランプ基板は図示されていない）が配置されている。各ランプ基板１１５の前面側には、それぞれ当該レンズ形状及び面積に対応する所定数（例えば、６〜１２個）の各ランプ１１６が配置されている。各ランプ１１６には、例えば、前記ランプ１０６、１０８と同様に、発光ダイオード（ＬＥＤと呼ばれている）が採用されている。また、例えば、ホールの島の間を歩行する遊技者がパチンコ機１を左方又は右方から見る角度によって、各右側レンズ１１２ａ，１１２ｂ，１１２ｃがほぼ波形状に照らし出されることにより、電飾効果を高めることができる。また、各右側レンズ１１２ａ，１１２ｂ，１１２ｃの各ランプ１１６は、例えば、所定時間毎に点灯、消灯を繰り返すようになっている。また、各ランプ１１６から発せられる熱が、右側の装飾部１１０内の空間部１１４から前記各音透し孔１１１ａ，１１１ｂを通して外部に放出される。したがって、音透し孔１１１ａ，１１１ｂに放熱孔の機能を兼備させることができる。なお、音透し孔１１１ａ，１１１ｂと同様に、前記左側の装飾部１００に放熱孔を設けることもできる。また、音透し孔１１１ａ，１１１ｂの形状、個数等は適宜変更することができる。
【００９４】
図２２及び図２３に示すように、前記各右側レンズ１１２ａ，１１２ｂ，１１２ｃと前記モール９１との間における右側の装飾部１１０の縦方向部分（符号、１１９を付す）は、その左右方向の中央部が前方に向けて断面凸型Ｖ字状に隆起する断面形状で形成されている。その縦方向部分１１９の稜線１１９ｒの高さは縦方向に波形状に変化している。
【００９５】
図２１に示すように、前記上側の装飾部１２０には、前記モール９１の上縁部に沿う樹脂製のトップレンズ１２３が設けられている。トップレンズ１２３は、例えば、無色透明のレンズで、図２５及び図２６に示すように、中央部の稜線部１２３ｒ（後述する）が遊技領域視認窓８０ａの輪郭形状９６（図２０及び図２１参照）に準じる形状で前方へ向けてほぼ山形状に突出する断面Ｖ字状に形成されている。また、トップレンズ１２３は、前記モール９１（図２１参照）の上縁部に沿う下縁部１２３ａと、その下縁部１２３ａの左端部から右端部に向けて二山状をなす上縁部１２３ｂと、左端部から右端部に向けて山形状をなしかつ波形状に曲がりくねった形状をなす稜線部１２３ｒとを有している。これにより、トップレンズ１２３が、変則的な立体感を呈する形状となっている。また、トップレンズ１２３の左右端部を除いた稜線部１２３ｒの高さは、前記モール９１及び左右の各装飾部１００，１１０の稜線９１ｒ，１００ｒ，１１０ｒよりも高く、左右方向に緩やかな山形状に変化している（図７及び図８参照）。また、図２５に示すように、トップレンズ１２３の縦幅（図２５において上下方向の幅）は、当該稜線部１２３ｒの湾曲の度合に応じて増減されている。これにより、トップレンズ１２３の縦幅が横方向に変則的な立体感を呈する形状となっている。
上記したように、遊技領域視認窓８０ａの周囲すなわち上側には、モール９１すなわち遊技領域視認窓８０ａの輪郭形状９６に準じる形状でかつ前方へ隆起するトップレンズ１２３を有する上側の装飾部１２０が設けられている。これにより、遊技領域視認窓８０ａの上側に立体感のある装飾を施すことができる。
【００９６】
前記トップレンズ１２３は、図２６に示すように、上縁部１２３ｂ及び下縁部１２３ａから稜線部１２３ｒに向かって次第に肉厚が厚くなり、稜線部１２３ｒで最大肉厚となるように、光学プリズムを模した断面形状に形成されている。これにより、トップレンズ１２３に対し、ランプ１２６（後述する）から発せられる光線を屈折、拡散、内反射等により複合的に変化させる、いわゆるプリズム状の特性が付与されている。
また、トップレンズ１２３のトップレンズ１２３の下縁部１２３ａには、扉本体８２にネジ等の固定部材により固定される適数個（図２５では左右２個を示す）の取付片１２３ｃが一体形成されている。なお、取付片１２３ｃは、上側のモール材９４によって隠蔽される。
また、トップレンズ１２３の上縁部１２３ｂには、扉本体８２と上側の装飾部１２０との間に挟持される適数個（図２５では左右２個を示す）の挟持片１２３ｄが一体形成されている。なお、挟持片１２３ｄは、上側の装飾部１２０によって隠蔽される。
【００９７】
図２４に示すように、前記扉本体８２の前面側には、前記トップレンズ１２３で取り囲まれた空間部１２４が形成されている。そして、前記扉本体８２の前面側には、トップレンズ１２３に対応しかつ左右方向に分割された複数枚（例えば、４枚）のランプ基板１２５が配置されている（図２１参照）。各ランプ基板１２５の前面側には、それぞれ当該レンズ形状及び面積に対応する所定数（例えば、８〜１２個）のランプ１２６が配置されている（図２４参照）。各ランプ１２６には、例えば、発光ダイオード（ＬＥＤと呼ばれている）が採用されている。また、扉本体８２には、前記空間部１２４内において各ランプ基板１２５のランプ１２６を覆うほぼ平板状のカバーレンズ１２７が装着されている。カバーレンズ１２７は、例えば、無色透明の拡散レンズで形成されている。
【００９８】
前記各ランプ１２６が点灯することにより、そのランプ１２６から出射される光線が前記カバーレンズ１２７を透して前方へ拡散され、さらに前記トップレンズ１２３を透して前方及び左右上下方向へ様々に屈折、分散され、該レンズ全体が明るく照らし出される。このため、例えば、ホールの島の間を歩行する遊技者が、パチンコ機１を左方又は右方から見る角度によって、トップレンズ１２３の稜線部１２３ｒの周辺部のプリズム特性によってランプ１２６の光線が様々に照らし出されることにより、電飾効果を高めることができる。また、パチンコ機１の左右の側方からトップレンズ１２３を見ると、そのレンズの上下の各斜面部（符号、１２３ｅ，１２３ｆを付す）が光ることにより、発光装飾効果が高まる。また、トップレンズ１２３の稜線部１２３ｒが湾曲しているため、その湾曲形状に応じて、特有の模様が光ることによっても、発光装飾効果が高まる。また、トップレンズ１２３のランプ１２６は、例えば、所定時間毎に点灯、消灯を繰り返すようになっている。
【００９９】
さらに、前記各ランプ基板１２５には、それぞれ異なる色に点灯する複数のランプ１２６が装備されている。例えば、左のランプ基板１２５から右のランプ基板１２５へ順に、例えば、青色、緑色、黄色、赤色にそれぞれ点灯する複数のランプ１２６が採用されている。このため、ランプ基板１２５毎のランプ１２６を、適宜選択的に点灯、消灯することにより、装飾効果を高めることができる。その各ランプ１２６は、例えば、青色、緑色、黄色、赤色のうち、選択的に１色ずつ、あるいは２色ずつ、あるいは３色ずつ点灯したり、全色点灯したり、消灯したりする等の点灯、消灯の方法が考えられる。また、例えば、ホールの島の間を歩行する遊技者がパチンコ機１を左方又は右方から見る角度によって、トップレンズ１２３の稜線部１２３ｒの周辺部のプリズム特性によって、各色のランプの光線が様々に照らし出されたり、複数の色の光線が混ざって中間色が照らし出されたりすることにより、電飾効果を高めることができる。また、１枚のランプ基板１２５に対して、異なる色の複数のランプ１２６を規則的あるいはランダムに配置することもできる。また、ランプ基板１２５の枚数、ランプ１２６の色数は、適宜増減することができる。
【０１００】
さらに、図２１に示すように、前記上側の装飾部１２０には、前記トップレンズ１２３の上縁部１２３ｂ（図２５参照）に倣うほぼ三日月形状の波形隆起部１２１が形成されている。波形隆起部１２１は、前方へほぼ山形状に突出する断面Ｖ字状（図２４参照）に形成されており、その稜線１２１ｒの高さは左右方向に緩やかな山形状（図２１参照）に変化している。
【０１０１】
図２１に示すように、前記上側の装飾部１２０には、前記左側の装飾部１００と前記トップレンズ１２３との間に位置しかつ該左側の装飾部１００の右側の上部レンズ１０３ｂに倣うほぼ三日月形状の左側隆起部１２８が形成されている。さらに、上側の装飾部１２０には、前記右側の装飾部１１０と前記トップレンズ１２３との間に位置しかつ該トップレンズ１２３の右側部にほぼ倣う形状の右側隆起部１２９が形成されている。それらの各隆起部１２８，１２９の周囲１２８ａ，１２９ａは窪んでおり、両左側隆起部１２８の膨らみ感が増加されている。
【０１０２】
また、図２１に示すように、前記下側の装飾部１３０は、前記左側の装飾部１００及び前記右側の装飾部１１０とほぼ同様に、その中央部が遊技領域視認窓８０ａの輪郭形状９６に準じる形状で前方に向けて断面凸型円弧状に隆起する断面形状で形成されている（図７及び図８参照）。
また、前記下側の装飾部１３０に形成されたほぼ三角形状の取付孔（符号省略）には、操作ユニット１４０が嵌め込んだ状態で装着されている。操作ユニット１４０は、その中央部に配置された残度数表示器１４１と、その表示器１４１の左隣りに配置された球貸ボタン１４２と、残度数表示器１４１の右隣りに配置された返却ボタン１４３とを備えている。残度数表示器１４１は、例えば、７セグメントＬＥＤを３個用いて３桁の数字を表示可能に構成されており、前記カード式球貸機２００（図３２参照）にセット、いわゆる挿入されたプリペイドカードの残度数（例えば、百円単位の残高）を表示する。また、球貸ボタン１４２を押すと、前記プリペイドカードの残度数内において所定数（例えば、５００円分相当の球数）のパチンコ球が払出される。また、返却ボタン１４３を押すと、前記カード球貸機２００内に入っているプリペイドカードが返却、すなわち遊技者が受け取れるように押し出される。なお、球貸ボタン１４２及び返却ボタン１４３を操作ユニット１４０の外形とほぼ相似形をなす形状とすることにより、パチンコ機１のデザインが向上されている。
【０１０３】
図４に示すように、前記扉装飾体９０は、前記モール９１、前記各装飾部１００，１１０，１２０，１３０、トップレンズ１２３等の凹凸形状によって、特異なレリーフ調のデザインがかもしだされている。
また、前記扉装飾体９０は左右非対称形状のデザインであるため、これまた特異なデザインといえる。なお、各装飾部１００，１１０，１２０，１３０の形状、大きさ、各レンズの形状、大きさ、配置等のうち、少なくともいずれかが非対称形状であればよい。また、各レンズ、及び、ランプを備えたランプ基板は本明細書でいう「発光装飾装置」を構成している。また、扉装飾体９０の左側の装飾部１００、右側の装飾部１１０、トップレンズ１２３を有する上側の装飾部１２０、下側の装飾部１３０のうち少なくとも一つの装飾部は、前方に向けて隆起しない断面形状で形成してもよい。なお、扉体に装備されるランプ、ランプ基板、操作ユニット１４０は本明細書でいう「扉体側電気部品」に相当する。
【０１０４】
また、前にも述べたように、ホール等においてパチンコ機１を並べた際に、左右に隣合うパチンコ機１における左側の装飾部１００の稜線１００ｒと右側の装飾部１１０の稜線１１０ｒとが互いに連続され、複数のパチンコ機１を相互に連続する意匠をもって設置することができる（図３２参照）。このため、島の印象を向上することができる。詳しくは、従来は左右対称状のデザインのパチンコ機であったので、ホール等にパチンコ機１を並べた際に単調な印象が感じられたが、本実施の形態によれば、複数のパチンコ機１の協働によって繰り返し変化する連続パターンの意匠を表現することができるため、島の印象を向上することができる。
【０１０５】
次に、前記操作ハンドル４４の構成について詳述する。図２７、図２９及び図３０に示すように、操作ハンドル４４は、遊技者の右手で握りやすいほぼ球状に形成されている。操作ハンドル４４は、前側のハンドル部材４５と後側のハンドル部材４６と発射レバー（ハンドルレバーとも呼ばれる）４８とを備えて構成されている。前側のハンドル部材４５は、樹脂製で、操作ハンドル４４の前半部分を形成している。後側のハンドル部材４６は、樹脂製で、操作ハンドル４４の後半部分を形成している。発射レバー４８は、樹脂製で、前後の両ハンドル部材４５，４６の間に回動操作可能に配置されている。以下、説明の都合上、後側のハンドル部材４６、発射レバー４８、前側のハンドル部材４５の順に詳述する。
【０１０６】
後側のハンドル部材４６を説明する。図２９及び図３９に示すように、後側のハンドル部材４６は、ほぼ半球状をなす主部４０１と、その主部４０１の左側部から左側方へほぼ翼状に突出された指載せ部（指置き部ともいう）４６ａとを有して一体成形されている。主部４０１の軸心部には、後方へ突出するほぼ筒状の嵌合筒部４６ｂが形成されている（図３０参照）。嵌合筒部４６ｂの下側には、ほぼ角筒状の張出筒部４０２が並列状に形成されている（図３７及び図３８参照）。主部４０１と指載せ部４６ａとによる後側面４６ｃ（図２９参照）は、ほぼ同一平面をなす平坦面に形成されている。また、嵌合筒部４６ｂ及び張出筒部４０２は、前記内枠体２０の下前板部材５８に形成された貫通孔５８ｂ（図９参照）に対してその前面側からほぼ密に挿入可能に形成されている。貫通孔５８ｂは、前記球発射装置４０の操作軸４０ａ（図１２参照）に対応する位置に形成されている。また、主部４０１には、前方へ突出するほぼ円筒状の上下一対のボス部４０３（図４０参照）が形成されている。
【０１０７】
図４０に示すように、前記指載せ部４６ａに形成された前後方向に貫通する孔４０４には、その後方からほぼ棒状をなす樹脂製のスナップフィット部材４０５（図３９参照）の前部が嵌合されている。スナップフィット部材４０５は、前側のハンドル部材４６の指載せ部４６ａを前側のハンドル部材４５の指載せ部４５ａ（後述する）に締結するためのねじ４５２により前側のハンドル部材４６と一体化されている（図２９参照）。また、スナップフィット部材４０５は、指載せ部４６ａの後面側から後方へ二股状に突出する一対の係合片４０６を有している。両係合片４０６は、対向方向へ弾性変形いわゆる撓み変形可能に形成されている（図２９中、二点鎖線４０６参照）。両係合片４０６の先端部には、一円周線上において外側に膨出する断面半円形状の膨出部４０６ａが形成されている。
【０１０８】
図３０に示すように、前記嵌合筒部４６ｂ内には、作動軸４７が樹脂製の前後一対の軸受４７ａを介して回転可能に支持されている。作動軸４７の後端部には、前記球発射装置４０の操作軸４０ａ（図１２参照）に対して、動力伝達可能に嵌合可能な連結部４０８が設けられている（図３８参照）。図３０に示すように、作動軸４７は、嵌合筒部４６ｂ内にその後方から前方へ向けて挿入されており、その後端部に設けた段差面４０９が後側の軸受４７ａに当接することによってそれ以上の挿入が制限されるようになっている。なお、作動軸４７は、その先端面に発射レバー４８（後述する）が取付けられることによって後方への移動が制限され、嵌合筒部４６ｂ内に定位置において回転可能に支持されるようになっている。
【０１０９】
図４０に示すように、前記主部４０１の前側には、コイルばねからなる戻しばね４１０が前記作動軸４７と同一軸線上をなすように配置されている。戻しばね４１０の後端部から外方（右方）へ伸びる端末部４１０ａは、フック状に折り曲げられており、主部４０１に対してねじ４１１によって固定されている。また、戻しばね４１０の前端部から外方（右方）へ短く伸びる端末部４１０ｂは、フック状に折り曲げられており、発射レバー４８のばね掛け片４３８（後述する）に掛装可能になっている（図４２参照）。
【０１１０】
図４０に示すように、前記主部４０１の前側には、前記戻しばね４１０の左側に位置する発射停止スイッチ４１３が所定位置に位置決めされた状態でねじ４１４によって固定されている。発射停止スイッチ４１３は、例えば、マイクロスイッチからなる。発射停止スイッチ４１３の左上隅角部には、左下方へ向けて突出されかつその下端部を右方へ移動するように回動可能な作動片４１５を有している（図４４及び図４５参照）。作動片４１５は、発射停止スイッチ４１３に内蔵されたばね（図示省略）によって常に左下方へ向けて突出する状態に付勢されている（図４０参照）。発射停止スイッチ４１３は、例えば、常開スイッチであって、作動片４１５が、内蔵のばねの付勢に抗して押動されることによってオン（ＯＮ）する（図４４参照）。発射停止スイッチ４１３は、図示しないリード線を通じて、前記発射制御基板ボックス５０（図６参照）内の発射制御基板に対して電気的に接続されている。なお、発射停止スイッチ４１３のリード線（図示省略）は、前記主部４０１に形成された連通孔４０１ａ内を通して外部へ引き出されている。
【０１１１】
図４０に示すように、前記後側のハンドル部材４６の主部４０１と指載せ部４６ａとの連接部分における上下の周壁部には、発射レバー４８の後面側における操作リング部４８ａ（後述する）を相対的に受入れる上下の受入溝４１７，４１８が形成されている。
また、前記主部４０１内には、前記発射停止スイッチ４１３の左側に位置する押しボタン形式の樹脂製の発射停止ボタン４２０の下端部が、ねじ４２１によって回転可能に取付けられている。
【０１１２】
前記発射停止ボタン４２０は、図４０に示すように、上下方向に延びるアーム部４２２と、そのアーム部４２２の上端部から左方へ突出する操作部４２３とを有している。操作部４２３は、上側の受入溝４１７の上部から後方へ切り込まれた凹溝４１９を通じて主部４０１より左方へ突出されている。また、発射停止ボタン４２０のアーム部４２２の前側には、ほぼ縦長状のカム片４２５が突出されている。カム片４２５には、その右上端から左下方へ傾斜するカム面４２６が形成されている。
【０１１３】
前記発射停止ボタン４２０のアーム部４２２は、前記発射停止スイッチ４１３の作動片４１５に当接されている。このため、発射停止ボタン４２０は、発射停止スイッチ４１３の内蔵のばねの付勢力によって作動片４１５を介して押動される（図４０参照）。この状態では、発射停止スイッチ４１３がオフ（ＯＦＦ）状態となり、発射停止ボタン４２０の操作部４２３が主部４０１の当該側壁から所定量突出する非押動状態にあり、発射停止ボタン４２０のアーム部４２２が主部４０１の当該側壁に当接する状態にある。また、発射停止ボタン４２０の操作部４２３を主部４０１のほぼ径方向内方（図４０において右方）へ向けて押動操作されることによって、発射停止ボタン４２０がねじ４２１を中心として図４０において右回り方向へ回動される。これにともない、アーム部４２２によって作動片４１５が押動されることにより、発射停止スイッチ４１３がオン状態となる。
【０１１４】
次に、発射レバー４８を説明する。図４１及び図４２に示すように、発射レバー４８は、ほぼ円板状の主板部４３０と、その主板部４３０の外周部に形成されたほぼ円筒状の操作リング部４８ａと、その操作リング部４８ａの外周面に連続する外周面を有する左右の指掛け部４３２，４３３とを有している。操作リング部４８ａは、前記後側のハンドル部材４６における主部４０１の前端部に嵌合可能になっている（図３０参照）。また、両指掛け部４３２，４３３は、ほぼ山型状をなしており、その前面側及び外周側がその操作リング部４８ａの前面側及び外周側となだらかに連続されており、遊技者が握りやすい形状となっている（図４１参照）。左側の指掛け部４３２は、右側の指掛け部４３３に比べて一回り大きく形成されている。発射レバー４８の回転操作にあたり、例えば、左側の指掛け部４３２には主として遊技者の右手の親指Ｈ１、あるいは人差し指Ｈ２が掛けられ、また、右側の指掛け部４３３には主として遊技者の右手の中指Ｈ３、あるいは薬指Ｈ４、あるいは小指Ｈ５が掛けられる。
【０１１５】
図４１に示すように、前記主板部４３０の軸心部には、ねじ孔４３４が形成されている。また、主板部４３０には、その軸心を中心とする円弧状をなす２つのガイド孔４３５が点対称状に形成されている。主板部４３０は、その軸心部から後方へ突出されたほぼ円筒状の連結筒部４３７を有している（図３０及び図４２参照）。連結筒部４３７は、前記戻しばね４１０内に挿入可能に形成されているとともに、前記作動軸４７の前端部を相対的に挿入可能に形成されている。しかして、前記作動軸４７の前端部は、断面ほぼＤ字型に形成されている。また、連結筒部４３７はその作動軸４７の前端部に係合可能なほぼＤ字型の中空孔４３７ａ（図４２参照）を有している。
【０１１６】
図４２に示すように、前記主板部４３０には、後方へ向けて突出するほぼ四角形板状のばね掛け片４３８と、同じくほぼ楕円柱状の連動片４３９が突出されている。ばね掛け片４３８は、前記連結筒部４３７と左側の指掛け部４３２に隣接するガイド孔４３５との間に配置されている。連動片４３９は、左側の指掛け部４３２と、その指掛け部４３２に連接するガイド孔４３５との間の下方近くに配置されている。
【０１１７】
上記した発射レバー４８は、操作リング部４８ａを前記後側のハンドル部材４６における主部４０１の前端部に嵌合した状態で、前記作動軸４７の前端面に対してねじ４３６によって結合される（図３０参照）。このとき、発射レバー４８の連結筒部４３７の中空孔４３７ａが作動軸４７の前端部と係合することによって、発射レバー４８と作動軸４７とが一体的に回転可能になる。さらに、後側のハンドル部材４６に対する発射レバー４８の嵌合にあたって、ばね掛け片４３８を戻しばね４１０の前側の端末部４１０ｂに引っ掛けた状態で、そのばね４１０の付勢に抗して発射レバー４８を正面から見て右回り方向（図４５中、矢印Ｙ１参照）へ約９０°程度回転させる。この状態で、発射レバー４８が後側のハンドル部材４６に嵌合された状態で作動軸４７と連結される（図３０参照）。その後、発射レバー４８を解放すると、戻しばね４１０（図３０参照）の弾性復元力によって発射レバー４８が図４５の状態から左回り方向（図４５中、矢印Ｙ１１参照）へ回転されて原点位置（いわゆる待機位置）に保持される（図４４参照）。なお、発射レバー４８は、前側のハンドル部材４５の各ボス部４４３（後述する）に各ガイド孔４３５の当該端部が当接することによって原点位置に規制される。
【０１１８】
また、前記発射レバー４８の原点位置への回動にともない、該発射レバー４８の連動片４３９が図４５の状態から左回り方向（図４５中、矢印Ｙ１２参照）へ移動すると、その連動片４３９が発射停止ボタン４２０のカム片４２５のカム面４２６に衝合した後、そのカム面４２６を下方へ摺動する（図４４参照）。これにより、発射停止ボタン４２０が右回り方向（図４５中、矢印Ｙ１３参照）へ回動されるにともない、発射停止スイッチ４１３の作動片４１５が押動される。したがって、図４４に示すように、発射レバー４８の原点位置では、発射停止スイッチ４１３がオン状態になる。また、発射レバー４８の原点位置では、その発射レバー４８の左側の指掛け部４３２が発射停止ボタン４２０の操作部４２３の前側に位置する。このため、発射停止ボタン４２０の操作部４２３が遊技者から見て左側の指掛け部４３２の後ろ側に隠れる。
【０１１９】
次に、前側のハンドル部材４５を説明する。図２９及び図３９に示すように、前側のハンドル部材４５は、ほぼ半球状をなす主部４４０と、その主部４４０の左側部から左側方へほぼ翼状に突出された指載せ部（指置き部ともいう）４５ａとを有して一体成形されている。その指載せ部４５ａは、前記後側のハンドル部材４６の指載せ部４６ａと一体状をなすように接合可能に形成されている。また、図４３に示すように、前側のハンドル部材４５の主部４４０と指載せ部４５ａとの連接部分における上下の周壁部には、後側のハンドル部材４６の上下の受入溝４１７，４１８（図４０参照）と対応する上下の受入溝４４７，４４８が形成されている。なお、上側の受入溝４４７は、後側のハンドル部材４６における上側の受入溝４１７（図４０参照）の下半部にほぼ対応する大きさで形成されている。
【０１２０】
前記主部４４０の周壁は、図３０に示すように、前記発射レバー４８の操作リング部４８ａ内に嵌合可能になっている。図４３に示すように、主部４４０には、前方へ突出するほぼ円柱状の上下一対のボス部４４３が形成されている。各ボス部４４３は、前記後側のハンドル部材４６における各ボス部４０３（図４０参照）とそれぞれ同一軸線をなすように形成されている。
【０１２１】
図３０に示すように、前記前側のハンドル部材４５の主部４４０内には、電動式のバイブレータ４９が組込まれている。バイブレータ４９には、例えば、スピーカ装置のコーンに錘を付加してなる構造のバイブレータが採用されており、そのコーンの振動を利用して振動を発生する。バイブレータ４９は、図示しないリード線を通じて前記発射制御基板ボックス５０（図６参照）内の発射制御基板に対して電気的に接続されている。バイブレータ４９のリード線（図示省略）は、発射レバー４８に形成された開口部（図示省略）、及び、前記主部４０１の連通孔４０１ａ（図４０参照）内を通して外部へ引き出されている。なお、バイブレータ４９が発生する振動は、両ハンドル部材４５，４６及び発射レバー４８に伝達される、このため、操作ハンドル４４を握る遊技者に振動を与えることができる。また、バイブレータ４９は、リーチ、大当たりの予告時等の所定時期に振動されるようになっている。
【０１２２】
図３０に示すように、上記した前側のハンドル部材４５の主部４４０は、前記発射レバー４８の前面側における操作リング部４８ａ内に嵌合される。これとともに、前側のハンドル部材４５における上下の受入溝４４７，４４８に、前記発射レバー４８の操作リング部４８ａの当該部分が相対的に受入れられる（図４３参照）。また、図３９に示すように、指載せ部４５ａが後側のハンドル部材４６の指載せ部４６ａと接合される。また、前側のハンドル部材４５の各ボス部４４３は、発射レバー４８の各ガイド孔４３５内にそれぞれ係入されるとともに（図４３参照）、後側のハンドル部材４６の各ボス部４０３にそれぞれ同一軸線上において突き合わせ状に位置する。そして、後側のハンドル部材４６の各ボス部４０３にそれぞれ挿通したねじ（図示省略）を後側のハンドル部材４６の各ボス部４０３にそれぞれねじ付ける。これとともに、後側のハンドル部材４６の指載せ部４６ａに嵌合したスナップフィット部材４０５を通じて後側のハンドル部材４６の指載せ部４６ａに挿通したねじ４５２（図２９及び図４０参照）を前側のハンドル部材４５の指載せ部４５ａにねじ付ける。
【０１２３】
上記したようにして、組付けが完了した操作ハンドル４４は、後側のハンドル部材４６の嵌合筒部４６ｂを張出筒部４０２とともに、前記下前板部材５８に設けられた貫通孔５８ｂにその前面側から挿入すなわち嵌合する（図２９及び図３７参照）。これにより、操作ハンドル４４が下前板部材５８に回り止めされた状態で支持される。なお、下前板部材５８の貫通孔５８ｂに対する後側のハンドル部材４６の張出筒部４０２を含む嵌合筒部４６ｂの取付けが、本明細書でいう「操作ハンドルの本来の取付手段」を構成している。また、必要に応じて、下前板部材５８に嵌合筒部４６ｂと張出筒部４０２のうち少なくとも一方をねじ（図示省略）等により結合することができる。
【０１２４】
図２９に示すように、前記下前板部材５８の貫通孔５８ｂに対する後側のハンドル部材４６の張出筒部４０２の挿入とともに、下前板部材５８に形成された係合孔５８ｃに対して、スナップフィット部材４０５が弾性変形を利用したスナップフィット式で係合される。すなわち、スナップフィット部材４０５の両係合片４０６は、膨出部４０６ａが下前板部材５８の係合孔５８ｃの内周面に沿って摺動するときに互いに内方へ弾性変形いわゆる撓み変形（図２９中、二点鎖線４０６参照）され、係合孔５８ｃを膨出部４０６ａが通過することによって弾性復元する（図２９中、実線４０９参照）。すると、膨出部４０６ａが下前板部材５８の係合孔５８ｃの孔縁部に係合することによって、スナップフィット部材４０５ひいては操作ハンドル４４が抜け止めされた状態で装着される。この状態では、後側のハンドル部材４６の後側面４６ｃが下前板部材５８に面接触状に密着した状態となる。なお、下前板部材５８の係合孔５８ｃに対するスナップフィット部材４０５の取付けが、本明細書でいう「スナップフィット部材を利用した係合手段」を構成している。
上記したようにして、操作ハンドル４４が、下前板部材５８に対する本来の取付手段と、スナップフィット部材４０５を利用した係合手段との協働によるいわゆる２点支持によって、下前板部材５８に取付けられる。
【０１２５】
また、上記した遊技機本体４（詳しくは、下前板部材５８）に対する操作ハンドル４４の装着と同時に、両ハンドル部材４５，４６の指載せ部４５ａ，４６ａの先端部が、前記下前板部材５８の前面側すなわち下皿５９の嵌合凹部５９ａ内に前方から後方へスライドするようにして嵌合される。そして、後側のハンドル部材４６の指載せ部４６ａの後側面は、嵌合凹部５９ａの奥底面５９ａ１に面接触状に密着した状態となる（図２９及び図３１参照）。また、両ハンドル部材４５，４６の指載せ部４５ａ，４６ａの先端部における上面が嵌合凹部５９ａの上壁面に面接触状に密着した状態となるとともに、その先端部における下面が嵌合凹部５９ａの下壁面に面接触状に密着した状態となる（図３１参照）。
【０１２６】
また、作動軸４７の連結部４０８（図３８参照）が、球発射装置４０の操作軸４０ａに対して動力伝達可能に嵌合される。また、操作ハンドル４４から引出される各リード線は、前記発射制御基板ボックス５０（図６参照）内の発射制御基板に対して電気的に接続される。
【０１２７】
上記した遊技機において、発射レバー４８が原点位置にあるときは、図４４に示すように、発射停止ボタン４２０の操作部４２３が遊技者から見て発射レバー４８の左側の指掛け部４３２の後ろ側に隠れるとともに、遊技者の親指による操作が不能となる。
【０１２８】
また、遊技者が操作ハンドル４４を握り、図４４に示すように、例えば、右手の親指Ｈ１を発射レバー４８の左側の指掛け部４３２に掛け、薬指Ｈ４を同発射レバー４８の左側の指掛け部４３２に掛けて、手首をひねることにより、発射レバー４８が回転操作される。そして、発射レバー４８が、図４４に矢印Ｙ１で示すように、原点位置から原点位置以外へ回転操作されたときは、発射レバー４８の連動片４３９が移動し、発射停止ボタン４２０のカム片４２５から離れる（図４５参照）。このため、発射停止ボタン４２０は、発射停止スイッチ４１３の内蔵のばねによる付勢される作動片４１５によって押し戻され（図４５中、矢印Ｙ１３参照）、非押動状態に復帰される。これとともに、発射停止スイッチ４１３がオフ（ＯＦＦ）となる。その発射停止スイッチ４１３のＯＦＦ状態を検知した発射制御基板ボックス５０（図６参照）内の発射制御基板は、球発射モータ４１（図９参照）へ通電し、球の発射を開始する。その球発射モータ４１の駆動によって、上皿７１（図１参照）より供給された球が１個ずつ所定時間毎（例えば、０．６秒毎）に連続的に遊技領域６３へ向けて発射される。また、前記発射制御基板は、遊技者の回転操作による発射レバー４８の回転角度に基づいて、球の発射強度（発射速度又は飛距離）を調整する。
【０１２９】
また、遊技者は、遊技中すなわち球発射モータ４１（図９参照）の駆動中には、操作ハンドル４４を握った手を持ちかえる。すなわち、図４５に示すように、例えば、右手の親指Ｈ１を指載せ部４５ａ，４６ａに載せるとともに、右手の人差し指Ｈ２を発射レバー４８の左側の指掛け部４３２に掛け、小指Ｈ５を同発射レバー４８の左側の指掛け部４３２に掛ける。
この状態で、遊技者が、発射停止ボタン４２０の操作部４２３を右手の親指Ｈ１（図４５参照）によって右方へ押動操作（図４５中、矢印Ｙ４参照）する。すると、図４６に示すように、発射停止ボタン４２０が図４６に矢印Ｙ３で示すように回動されるにともない、発射停止スイッチ４１３の作動片４１５が押動される。これにより、発射停止スイッチ４１３がオン（ＯＮ）となる。発射停止スイッチ４１３のオン状態を検知した発射制御基板ボックス５０（図６参照）内の発射制御基板は、球発射モータ４１（図９参照）への通電を停止し、球の発射を停止する。
【０１３０】
また、遊技者が、前記発射停止ボタン４２０の押動操作をやめるすなわち操作部４２３を押動操作していた右手の親指Ｈ１を解放する。すると、発射停止ボタン４２０は、発射停止スイッチ４１３の内蔵のばねによる付勢される作動片４１５によって非押動状態（図４５参照）に押し戻される（図４５中、矢印Ｙ１３参照）。これにより、発射停止スイッチ４１３がオフ（ＯＦＦ）となるため、前にも述べたように、発射制御基板ボックス５０（図６参照）内の発射制御基板が球発射モータ４１（図９参照）へ通電し、球の発射が開始される。
【０１３１】
また、遊技者が、前記発射レバー４８の回転操作をやめるすなわち発射レバー４８が図４５において矢印Ｙ１１方向へ回転させて原点位置に戻されたときは、発射レバー４８の連動片４３９が図４５の状態から左回り方向（図４５中、矢印Ｙ１２参照）へ移動する。すると、発射レバー４８の連動片４３９が発射停止ボタン４２０のカム片４２５のカム面４２６に衝合した後、そのカム面４２６を下方へ摺動する（図４４参照）。これにより、前にも述べたように、発射停止ボタン４２０が右回り方向（図４５中、矢印Ｙ１３参照）へ回動されるにともない、発射停止スイッチ４１３の作動片４１５が押動される。したがって、発射停止スイッチ４１３がオン状態になるため、発射制御基板ボックス５０（図６参照）内の発射制御基板が球発射モータ４１（図９参照）への通電を停止し、球の発射を停止する。また、発射レバー４８の原点位置では、その発射レバー４８の左側の指掛け部４３２が発射停止ボタン４２０の操作部４２３の前側に位置する。このため、発射停止ボタン４２０の操作部４２３が遊技者から見て左側の指掛け部４３２の後ろ側に隠れる。
【０１３２】
上記したパチンコ機１によれば、下前板部材５８の前面側に備えた操作ハンドル４４の両ハンドル部材４５，４６に、指載せ部４５ａ，４６ａが設けられている（図２７参照）。これにより、操作ハンドル４４を握る遊技者が指、例えば、親指Ｈ１を指載せ部４５ａ，４６ａに載せた状態で発射レバー４８を操作することができる（図２８参照）。このため、遊技者の疲労を軽減することができる。なお、操作ハンドル４４の指載せ部４５ａ，４６ａに載せる遊技者の指は、親指Ｈ１以外の指でもよい。
【０１３３】
また、指載せ部４５ａ，４６ａが両ハンドル部材４５，４６に設けられているので、従来の操作ハンドルの下方に腕載せ台を引き出し状に配置したもの（前記特許文献１参照）に比べて、コンパクト化を図るとともに、操作ハンドル４４を握る遊技者が指載せ部４５ａ，４６ａに例えば、親指Ｈ１を容易に載せることができる（図２８参照）。したがって、コンパクトでありながら使用上の利便性を向上することができる。
【０１３４】
また、下皿５９に比べて小型の部品である各ハンドル部材４５，４６にそれぞれ指載せ部４５ａ、４６が一体成形されているため、下皿５９に指載せ部を一体成形する場合に比べて、成形性が良いといえる。
【０１３５】
また、下前板部材５８の下皿５９には、指載せ部４５ａ，４６ａの先端部を前方から受入可能でかつその先端部の上下方向の移動を制限する嵌合凹部５９ａが形成されている（図２９及び図３１参照）。したがって、下前板部材５８の下皿５９の嵌合凹部５９ａに、指載せ部４５ａ，４６ａの先端部が前方から嵌合されて受入れられる。したがって、下皿５９の嵌合凹部５９ａによって指載せ部４５ａ，４６ａの上下方向の移動が制限されるため、その指載せ部４５ａ，４６ａを強固に支持することができる。
【０１３６】
また、指載せ部４５ａ，４６ａと下前板部材５８との間には、相互に係合可能なスナップフィット部材４０５を利用した係合手段が設けられている（図２９参照）。したがって、指載せ部４５ａ，４６ａと下前板部材５８とがスナップフィット部材４０５を利用した係合手段を介して係合する。このため、指載せ部４５ａ，４６ａを有する操作ハンドル４４を、本来の取付手段と、指載せ部４５ａ，４６ａにかかる係合手段との協働によるいわゆる２点支持によって、下前板部材５８に強固に取付けることができる。
【０１３７】
また、スナップフィット部材４０５を利用してスナップフィット式で係合する係合手段によって、操作ハンドル４４の指載せ部４５ａ，４６ａと遊技機本体４の下前板部材５８とをワンタッチで容易に係合することができる（図２９参照）。
【０１３８】
また、両ハンドル部材４５，４６には、所定操作によって球の発射を停止するための発射停止ボタン４２０が設けられている（図３９参照）。そして、発射停止ボタン４２０（詳しくは、操作部４２３）は、操作ハンドル４４の指載せ部４５ａ，４６ａに載せた指の指先によって操作可能に配置されている（図４６参照）。これにより、指載せ部４５ａ，４６ａに載せた指、例えば、親指Ｈ１の指先で発射停止ボタン４２０（詳しくは、操作部４２３）を操作することができる。このため、指載せ部４５ａ，４６ａが親指Ｈ１を発射停止ボタン４２０に誘導するガイド機能を発揮することにより、発射停止ボタン４２０の操作性を向上することができる。
【０１３９】
また、前に述べたように、発射レバー４８が原点位置から原点位置以外へ回転操作されたときは（図４５参照）、発射停止ボタン４２０（詳しくは、操作部４２３）が遊技者から視認可能となるとともに遊技者の親指Ｈ１により操作可能となる。このため、球の発射を停止するための発射停止ボタン４２０を発射レバー４８の操作に連携した適切なタイミングで遊技者に認識させることができ、その発射停止ボタン４２０の誤操作を防止あるいは低減することができる。したがって、遊技機に不慣れな初心者が発射レバー４８の原点位置で認識した発射停止ボタン４２０を押しながら発射レバー４８を回転操作することによって球を発射できずに困惑するといったトラブルを予防することができる。
【０１４０】
また、押しボタン形式の操作部材で構成された発射停止ボタン４２０が発射レバー４８の原点位置（図４４参照）においては押動状態に退避されるので、その発射停止ボタン４２０の誤操作を一層効果的に防止あるいは低減することができる。また、発射レバー４８が原点位置（図４４参照）から原点位置以外（図４５参照）へ回転されると、発射停止ボタン４２０が非押動状態に復帰されて通常の操作を行なうことができる。
【０１４１】
また、例えば、下前板部材５８に取り付けられる操作ハンドル４４にバイブレータ４９が組込まれた操作ハンドルと、バイブレータ４９を省いた操作ハンドルとを用意しておけば、操作ハンドルのみの小変更で、バイブレータ４９付きあるいは無しの操作ハンドルを容易に選択することができる。また、仮に操作ハンドル４４あるいはバイブレータ４９の故障時等には、操作ハンドルの交換のみでよいため、部品交換を簡単に行うことができる。
【０１４２】
なお、球発射装置４０は、上記実施の形態で例示したモータ駆動式の他、ソレノイド駆動式のものに代えることができる。また、操作ハンドル４４は、発射レバー４８を手動式に代えて、電動式で回転される操作ハンドルであってもよい。また、操作ハンドル４４の発射レバー４８には、回転操作可能な回転操作部材を代用することができる。また、操作ハンドル４４の両ハンドル部材４５，４６に、遊技者の親指を載せる指載せ部４５ａ，４６ａを設けたが、遊技者のその他の指、例えば、小指を載せる指載せ部を設けることも可能である。また、下皿５９の嵌合凹部５９ａは、その他の遊技機本体４側の部材に設けたり、あるいは省略したりすることができる。また、操作ハンドル４４の発射停止ボタン４２０は、上記実施の形態では発射レバー４８の回転に連携させたが、発射レバー４８の回転に連携しないものであってもよい。また、操作ハンドル４４の発射停止ボタン４２０は、所定の操作が可能な発射停止操作部材によって形成することができる。したがって、発射停止ボタン４２０等の発射停止操作部材の押動方向は限定されないし、操作も押動に限らず、スライド操作、回動操作等に変更することができる。また、発射停止ボタン４２０は、省略することも可能である。
【０１４３】
上記した遊技機によると、遊技盤６の扉体用ヒンジ機構側の端部に設けられた切欠凹部６０ｅ内に内枠体２０の配線案内枠２２が配置され、本体側電気部品と扉体側電気部品とを電気的に接続する配線Ｗが配線案内枠２２によって摺動案内される（図１参照）。したがって、扉体８０の開閉にともなって、配線Ｗが遊技盤６の切欠凹部６０ｅ内すなわち内枠体２０の配線案内枠２２内を配線がスムーズに摺動して出入りすることができる。
【０１４４】
また、配線案内枠２２内に通された配線Ｗが左側のパネル飾り部材６８の連通凹部６８ｄによっても摺動案内されるため、その配線Ｗが配線案内枠２２内を一層スムーズに出入りすることができる。
【０１４５】
また、機構盤３０の前面側に設けた配線用空間部３１２をいわゆる配線ダクトとして利用することができる（図１７及び図３３参照）。これにより、パチンコ機１の後面側に配置される本体側電気部品の電気的な接続にかかる配線Ｗ１を経由させることができる。したがって、その配線Ｗ１を配線用空間部３１２内に内枠体２０により隠蔽した状態で配置することができ、ひいてはパチンコ機１の後面側における配線の煩雑さを改善することができる。
【０１４６】
［実施の形態２］
本発明の実施の形態２を説明する。実施の形態２は上記した実施の形態１の一部を変更したものであるからその変更部分について詳述し、その実施の形態１と同一もしくは実質的に同一構成と考えられる部分には同一符号を付して重複する説明は省略する。
【０１４７】
図４７に示すように、左側のパネル飾り部材６８においては、下側の受入凹部６８ａが、該遊技盤６の左側縁部分に沿って区画壁６１（左側のレール６１Ａ）の左側端部から離れる方向すなわち下方に延長されかつその延長方向（下方）に開放されている。
また、右側のパネル飾り部材６９においては、上側の受入凹部６９ａが、該遊技盤６の右側縁部分に沿って前記区画壁６１（右側のレール６１Ｂ）の右側端部から離れる方向すなわち上方に延長されかつその延長方向（上方）に開放されている。これとともに、下側の受入凹部６９ａが、該遊技盤６の右側縁部分に沿って区画壁６１（右側のレール６１Ｂ）の右側端部から離れる方向すなわち下方に延長されかつその延長方向（下方）に開放されている。
【０１４８】
上記したように、各パネル飾り部材６８，６９の受入凹部６８ａ，６９ａが、前記遊技盤６の当該側縁部分に沿って前記区画壁６１の当該側端部から離れる方向に延長されかつその延長方向に開放されことにより、各受入凹部６８ａ，６９ａの上下方向の長さが延長される（図４７参照）。このため、各受入凹部６８ａ，６９ａに対応する遊技盤６の規制面（ベース板６０の前面）に対する左右の係止部２７，２８の上下方向の長さ及び当接位置あるいは形状等の自由度を増大することができる。
【０１４９】
また、各パネル飾り部材６８，６９の各受入凹部６９ａを延長方向に開放するように上下方向に長くすることは、遊技盤６の製造上においても有益といえる。すなわち、パチンコ機１の製造ラインにおいて、遊技盤６は、搬送台車に１台ずつセットされた状態で、その搬送台車とともに所定コースを移動する。そして、搬送台車が各組付工程、加工工程を経由していくことにより、遊技盤６に各種役物等の装置が組付られるとともに所要の加工が施される。ところで、搬送台車には、遊技盤６の正確なセット位置を確保するための位置決め治具（図示省略）が設けられている。位置決め治具は、遊技盤装着枠部２１の係止部２７，２８（図１２〜図１４参照）とほぼ同様の左右の係止部を備え、遊技盤６を所定のセット位置に位置決めした状態で固定する。したがって、遊技盤装着枠部２１の係止部２７，２８と同様に、位置決め治具の係止部２７，２８の長さ及び当接位置あるいは形状等の自由度を増大することができる。
【０１５０】
なお、左側のパネル飾り部材６８においては、上側の受入凹部６８ａを、該遊技盤６の左側縁部分に沿って区画壁６１の左側端部から離れる方向すなわち上方に延長しかつその延長方向（右方）に開放することができる。また、右側のパネル飾り部材６９においては、上下の受入凹部６９ａのうち、一方のみを該遊技盤６の右側縁部分に沿って前記区画壁６１の右側端部から離れる方向すなわち上方又は下方に延長しかつその延長方向に開放することができる。
【０１５１】
また、遊技盤６のベース板６０の前面には、補助レール６１Ｄが図示しない釘によって装着されている（図４８参照）。図４７に示すように、補助レール６１Ｄは、例えば、金属製のレール材で、所定のレール幅を有する帯板材をほぼ半円状に曲げて形成されており、右側のパネル飾り部材６９における凹形内側壁６１Ｂの内側面に沿って配置されている。また、補助レール６１Ｄの上端部は、左側のレール６１Ａの右端部と所定間隔を隔てて連続状をなしている。また、補助レール６１Ｄの下端部は、内側のレール６１Ｃの右端部と連続状をなしている。したがって、本実施の形態の場合、各レール６１Ａ，６１Ｂ，６１Ｃ，６１Ｄの協働によって、区画壁６１が構成されている。なお、右側のパネル飾り部材６９における凹形内側壁６１Ｂには、左側のレール６１Ａの右端部と補助レール６１Ｄの上端部との間に露出する部分において段差状をなす球止め部６９ｄが設けられている。また、前記実施の形態１におけるスピーカ用凹部６０ｄ（図１８参照）は省略されており、ベース板６０の右上隅角部が直角状に角張っている。
【０１５２】
また、図５０に示すように、前記内枠体２０の遊技盤装着枠部２１の左上隅角部すなわち上枠部２４１と左側の側枠部２４４とによる隅角部には、ほぼ中空四角形状の配線挿通孔２２ａを形成する配線案内枠２２が形成されている。内枠体２０の遊技盤装着枠２１に前記遊技盤６が嵌め込まれることによって、配線案内枠２２が遊技盤６のベース板６０の切欠凹部６０ｅ（図４８参照）内に嵌合されている（図４９参照）。なお、図５０は、扉体８０の開放状態（図４９参照）で、遊技盤６を省略した状態を斜視図で示したものである。ちなみに、図５１及び図５２においても遊技盤６が省略されている。
【０１５３】
図４９に示すように、前記配線案内枠２２内の配線挿通孔２２ａには、本体側電気部品（後述する）と扉体側電気部品（後述する）とを電気的に接続する配線Ｗが挿通されている。配線案内枠２２は、扉体８０の開閉にともなって配線Ｗを摺動案内する。配線Ｗは、扉本体８２の扉体用ヒンジ機構側の上端部に設けられた配線孔８０ｃを通して扉本体８２内に引き込まれ、扉体側電気部品に接続されている。なお、配線案内枠２２は、図５４に示すように、遊技盤６のベース板６０の肉厚６０ｔとほぼ等しい前後方向の幅をもって形成されている。
【０１５４】
図５４に示すように、前記配線案内枠２２の後部（図５４において左側）には、ほぼエルボ型管状の配線保護部２２０が形成されている（図５１参照）。これにより、配線案内枠２２の後側開口すなわち配線保護部２２０の開口が下方に向けられている。前記配線挿通孔２２ａ内に通された配線Ｗの後面側の引き出し部分Ｗａは、配線案内枠２２の配線保護部２２０の開口から下方へ向けて引き出されている。なお、配線保護部２２０の開口は、図５５に示すように、左方へ向けても開口されている。
【０１５５】
図４７に示すように、前記左側のパネル飾り部材６８の上端部には、前記遊技盤６の切欠凹部６０ｅに連続する連通凹部６８ｄが形成されている。さらに、図５４及び図５５に示すように、連通凹部６８ｄには、その連通凹部６８ｄの前半部の開口面積を下方及び右方へ拡大する段差面状の拡大凹部６８ｅが形成されている。連通凹部６８ｄの後半部の内壁面には、前方へ向かって広がりかつ拡大凹部６８ｅに連続する傾斜面６８ｆが設けられている。また、連通凹部６８ｄの前半部の内壁面すなわち拡大凹部６８ｅの内壁面には、前方へ向かって広がりかつ左側のパネル飾り部材６８の前面６８ｃに連続する傾斜面６８ｈが設けられている。
【０１５６】
図５２に示すように、機構盤３０の後面側でかつ前記球貸機２００側（図５２において右側）の上端部には、その球貸機２００との間で情報の交換を行なうためのインターフェース制御基板５５が前後方向に面する状態で配置されている（図５３及び図５４参照）。また、前記機構盤３０には、インターフェース制御基板５５の後面側を覆うカバー部材２６０が設けられている。カバー部材２６０は、その上縁部が機構盤３０に対して回動可能に連結されており、その回動によってインターフェース制御基板５５が開閉可能になっている。また、カバー部材２６０は、例えば、インターフェース制御基板５５を透視可能な樹脂成形品で形成されている。なお、図５２においては、カバー部材２６０（図５３及び図５４参照）が省略されている。
【０１５７】
図５３及び図５４に示すように、前記機構盤３０の後面側の上部（詳しくは、インターフェース制御基板５５の上方近くには、外部端子板５００がほぼ水平状態で配置されている。外部端子板５００の後端部上には、外部配線用コネクタ５０２，５０３が配置されている。各外部配線用コネクタ５０２，５０３には、ホールコンピュータにつながる配線のコネクタ（図示省略）が後方から接続可能になっている。
【０１５８】
図５４に示すように、前記外部端子板５００の前端部上には、外部配線用コネクタ５０２，５０３の前方に位置する機内配線用コネクタ５０４，５０５が配置されている。各機内配線用コネクタ５０４，５０５には、機内の電気部品につながる配線５２１，５２２のコネクタ５２１ａ，５２２ａ（図５３参照）が前方から接続可能になっている。なお、本明細書でいう「機内の電気部品」としては、扉体８０の開放状態を検出する扉開放スイッチ、賞球を検出する賞球検出スイッチ等が相当する。
【０１５９】
前記外部端子板５００は、前記機構盤３０に対して次に述べるようにして装着されている。図５３に示すように、前記機構盤３０には、前記外部端子板５００をその機構盤３０の前方から所定のセット位置に受け入れる端子板装着部５１０が設けられている。すなわち、端子板装着部５１０は、外部端子板５００の左右両側縁部を前方からスライド可能に受け入れるスライド溝５１３を有する左右一対の支持壁５１２を有している。また、端子板装着部５１０は、外部端子板５００を所定のセット位置に受け入れるため、その外部端子板５００の後端部に当接可能なストッパ部５１４を有している。外部端子板５００は、左右の支持壁５１２のスライド溝５１３に両側縁部をスライドさせるように嵌合し、ストッパ部５１４に突き当てることにより、所定のセット位置に位置決めされる（図５３及び図５４参照）。なお、外部端子板５００は、内枠体２０に対して機構盤３０を相対的に開放した状態（図５１参照）で端子板装着部５１０に装着されている。
【０１６０】
図５３及び図５４に示すように、前記両支持壁５１２上には、ほぼ帯板状のカバー部５１６が一体形成されている。カバー部５１６は、前記端子板装着部５１０のセットされた前記外部端子板５００の外部配線用コネクタ５０２，５０３の上方周りを覆うように形成されている。また、カバー部５１６は、ホールコンピュータにつながる配線のコネクタを、外部端子板５００の外部配線用コネクタ５０２，５０３に接続可能とする最小限の隙間をもって形成されている。なお、カバー部５１６は、本明細書でいう「外部配線用コネクタを覆うカバー部材」に相当する。また、機構盤３０に、別体のカバー部材を取り付けることによって、外部配線用コネクタ５０２，５０３を覆う構成とすることもできる。
【０１６１】
図５３に示すように、前記内枠体２０には、前記機構盤３０の端子板装着部５１０に装着された外部端子板５００の前方近くに位置する突起部２２２が突出されている。突起部２２２は、内枠体２０の上端部上に、ほぼ四角形筒状でかつその中空部が前後方向に貫通している。突起部２２２は、内枠体２０に対する機構盤３０の閉鎖によって、端子板装着部５１０に装着された外部端子板５００の前方近くに位置することにより、外部端子板５００の取り出しを阻止する。また、内枠体２０に対する機構盤３０の開放によって、突起部２２２は端子板装着部５１０の前方を開放する（図５１参照）。また、突起部２２２の左右方向の中央部上には、配線５２２等を掛止可能な突出部２２４が突出されている。
【０１６２】
図５２に示すように、前記機構盤３０の上枠部３０１の後面側には、前記インターフェース制御基板５５に隣接する中継基板５２５が配置されている。中継基板５２５は、前記実施の形態１における中継基板５３，５４と同様に、機構盤３０の上枠部３０１に装着されている。
【０１６３】
図５１に示すように、前記機構盤３０の左側の側枠部３０３（−２０３）の前面側には、前記実施の形態１と同様に、左右一対の側壁部３１０，３１１が一体形成されている。左側の側壁部３１０の前縁部３１０ａが、左側の側枠部３０３の前面よりも所定量突出しており、左側の側枠部３０３の前面側に配線用空間部３１２が形成されている（図５５参照）。配線用空間部３１２は、遊技盤６を装着する内枠体２０の後面側に機構盤３０を閉鎖したときに、その機構盤３０の閉鎖とともに遊技盤６によってその前面側が閉鎖される。また、左側の側枠部３０３の前面側には、弾性変形いわゆる撓み変形可能なクリップ片３１４が適数個（図１２では上下方向に３個示す。）の形成されている（図５５参照）。
【０１６４】
図５１及び図５５に示すように、前記配線用空間部３１２には、パチンコ機１の遊技機本体４の後面側に配置される本体側電気部品の電気的な接続にかかる配線Ｗ１が経由させてある。配線Ｗ１は、機構盤３０のクリップ片３１４にそのクリップ片３１４の弾性変形を利用して整然と留められている。
【０１６５】
図５１に示すように、前記配線Ｗ１のうちの配線Ｗ２は、前記サブ制御基板につながる信号線及び電源供給線である。配線Ｗ２は、前記機構盤３０の上枠部３０１に形成された孔３８０を通じて裏面側に引き出され、前記中継基板５２５のコネクタ５２５ａに接続されている（図５２参照）。
また、配線Ｗ１のうちの前記配線Ｗ２とともに機構盤３０の上枠部３０１の孔３８０を通じて裏面側に引き出された配線Ｗ３は、前記払出制御基板につながる信号線であり、図５２に示すように、インターフェース制御基板５５のコネクタ２５６に接続されている。
【０１６６】
図５１に示すように、前記配線Ｗ１のうちの配線Ｗ４は、前記扉体８０の開閉状態を検出する扉開放スイッチにつながる信号線であり、前記機構盤３０の上枠部３０１に設けられたコネクタ５２７に接続されている。また、機構盤３０の上枠部３０１の後面側において、前記コネクタ５２７に接続された配線Ｗ５と、前記中継基板５２５のコネクタ５２５ｂに接続された配線Ｗ６は、インターフェース制御基板５５のコネクタ２５８に接続されている。配線Ｗ６は、前記扉体８０の操作ユニット１４０の残度数表示器１４１（図４参照）につながる信号線及び電源供給線、及び、扉体８０の発光装飾装置のランプにつながる信号線及び電源供給線を備えている。
なお、図示はしないが、前記配線Ｗ１、前記払出制御基板につながる配線は、前記サブ制御基板に接続されている。また、一々列挙しないが、上記以外の配線も適宜合理的に配置されているものとする。
【０１６７】
上記した実施の形態２の遊技機によると、遊技盤６の扉体用ヒンジ機構側の端部に設けられた切欠凹部６０ｅ内に内枠体２０の配線案内枠２２が配置され、本体側電気部品と扉体側電気部品とを電気的に接続する配線Ｗが配線案内枠２２によって摺動案内される（図４９及び図５０参照）。したがって、扉体８０の開閉にともなって、配線Ｗが遊技盤６の切欠凹部６０ｅ内すなわち内枠体２０の配線案内枠２２内を配線がスムーズに摺動して出入りすることができる。
【０１６８】
また、配線案内枠２２内に通された配線Ｗ１が配線保護部２２０によって覆われることにより、例えば、島設備から落下する球や配線案内枠２２周辺の部品等による干渉、衝突等から配線を保護することができる（図５１、図５４及び図５５参照）。
【０１６９】
また、配線案内枠２２内に通された配線Ｗが左側のパネル飾り部材６８の連通凹部６８ｄによっても摺動案内されるため、その配線Ｗが配線案内枠２２内を一層スムーズに出入りすることができる。
【０１７０】
また、扉体８０の開放状態からの閉鎖時に、左側のパネル飾り部材６８の連通凹部６８ｄの内壁面に設けられた傾斜面６８ｆによって、配線Ｗが配線案内枠２２内に向けて摺動案内される。詳しくは、例えば、扉体８０の開放状態において、配線案内枠２２内及び連通凹部６８ｄ内を通じて前方へ引き出された配線Ｗが遊技領域６３方へ撓むように曲がった状態になる場合が予想される。このような場合において、扉体８０の閉鎖時に、前記曲がった状態の配線Ｗが、左側のパネル飾り部材６８の連通凹部６８ｄの傾斜面６８ｆによって配線案内枠２２内に向けて摺動案内され易い。これにより、前記曲がった状態の配線Ｗを配線案内枠２２内にスムーズに誘導することができる。
【０１７１】
また、扉体８０の閉鎖時に、配線案内枠２２内に入りきらなかった配線を、左側のパネル飾り部材６８の連通凹部６８ｄの拡大凹部６８ｅ内に無理なく収納することが可能である。これにより、左側のパネル飾り部材６８と扉体８０との間での配線の挟み込みを防止あるいは低減することができる。
【０１７２】
また、インターフェース制御基板５５が機構盤３０の後面側でかつ球貸機２００側の端部における上端部に球貸機２００側の上端部に前後方向に面する状態で配置される（図５２〜図５４参照）。これにより、インターフェース制御基板５５がホール作業者等の目につきやすく、そのインターフェース制御基板５５に対する球貸機２００の電気的接続作業を容易に行うことができる。
また、外部端子板５００を機構盤３０の後面側の上部にほぼ水平状態で配置することにより、遊技機の裏面側に前後方向に面する状態で配置される数多くの制御基板等に対する外部端子板５００の干渉を容易に避けることができる（図５２〜図５４参照）。
したがって、インターフェース制御基板５５と外部端子板５００とを合理的に配置することができる。
【０１７３】
また、インターフェース制御基板５５がカバー部材２６０で覆われることにより、例えば、島設備から落下した球からインターフェース制御基板５５を保護することができる（図５３及び図５４参照）。このことは、機構盤３０の後面側でかつ球貸機２００側の上端部で、島設備から落下した球が衝突しやすい位置に配置されるインターフェース制御基板５５に有益といえる（図５２参照）。
【０１７４】
また、外部配線用コネクタ５０２，５０３が、ホールコンピュータにつながる配線のコネクタを後方から接続可能に配置されている。このため、仮に外部配線用コネクタ５０２，５０３に不正装置を接続したとしても、その不正装置が機構盤３０の後面側に露出した状態となるため、不正装置を使用した不正行為を抑制することができる。なお、本明細書でいう「不正装置」の例としては、少な目の偽装大当たり信号を発信する制御基板等が考えられる。
【０１７５】
また、機内配線用コネクタ５０４，５０５が機内の電気部品につながる配線５２１，５２２のコネクタ５２１ａ，５２２ａを前方から接続可能にかつ外部配線用コネクタ５０２，５０３の前方に配置されている（図５３及び図５４参照）。このため、機内配線用コネクタ５０４，５０５に対する不正装置の接続が困難となるため、不正装置を使用した不正行為を抑制することができる。また、機内配線用コネクタ５０４，５０５と外部配線用コネクタ５０２，５０３とを前後方向にコンパクトに配置することができる（図５４参照）。
【０１７６】
また、外部配線用コネクタ５０２，５０３が外部端子板５００上に配置されているので、ホールコンピュータにつながる配線のコネクタ（図示省略）を外部配線用コネクタ５０２，５０３に容易に接続することができる。
また、外部配線用コネクタ５０２，５０３が機構盤３０のカバー部５１６で覆われることにより、例えば、島設備から落下した球から外部配線用コネクタ５０２，５０３を保護することができる（図５３及び図５４参照）。このことは、機構盤３０の後面側の上端部で、島設備から落下した球が衝突しやすい位置に配置される外部配線用コネクタ５０２，５０３に有益といえる。
【０１７７】
また、機構盤３０には、外部端子板５００をその機構盤３０の前方から所定のセット位置に受け入れる端子板装着部５１０が設けられている（図５３及び図５４参照）。このため、機構盤３０の端子板装着部５１０に装着された外部端子板５００は、機構盤３０の前方へ取り出さなければならない。このため、外部端子の取り出しがしにくくなり。外部端子板５００に対して不正装置を接続するといった不正行為を抑制することができる。
【０１７８】
また、内枠体２０に対する機構盤３０の閉鎖によって外部端子板５００の取り出しが阻止されることにより、外部端子板５００に対して不正装置を接続するといった不正行為を良好に抑制することができる（図５３参照）。
【０１７９】
また、機構盤３０の前面側に設けた配線用空間部３１２を、いわゆる配線ダクトとして利用することができる（図５０、図５１及び図５５参照）。これにより、パチンコ機１の後面側に配置される本体側電気部品の電気的な接続にかかる配線Ｗ１を経由させることができ、その配線を配線用空間部３１２内に内枠体２０により隠蔽した状態で配置することができ配置することができ、ひいてはパチンコ機１の後面側における配線Ｗ１の煩雑さを改善することができる。
【０１８０】
また、前記した実施の形態１，２から、前記特許請求の範囲に記載した技術的事項以外に把握できる技術的事項について以下に付記しておく。
［付記１］
付記１に係る発明は、インターフェース制御基板と外部端子板とを合理的に配置することのできる遊技機を提供することを目的としている。
そして、本発明の付記１にかかる遊技機（前記実施の形態２参照）は、
「裏機構を装備する機構盤と、
球貸機との間で情報の交換を行なうためのインターフェース制御基板と、
ホールコンピュータにつながる配線のコネクタを接続する外部配線用コネクタ及び機内の電気部品につながる配線のコネクタを接続する機内配線用コネクタが設けられた外部端子板と
を備える遊技機であって、
前記インターフェース制御基板を、前記機構盤の後面側でかつ前記球貸機側の端部における上端部に前後方向に面する状態で配置し、
前記外部端子板を、前記機構盤の後面側の上端部にほぼ水平状態で配置したことを特徴とする遊技機。」
を要旨とするものである。
このように構成すると、インターフェース制御基板が機構盤の後面側でかつ球貸機側の端部における上端部に球貸機側の上端部に前後方向に面する状態で配置される。これにより、インターフェース制御基板がホール作業者等の目につきやすく、そのインターフェース制御基板に対する球貸機の電気的接続作業を容易に行うことができる。ちなみに、従来は、インターフェース制御基板が機構盤の後面側で前後方向に面する状態で配置されるものの、球貸機側の端部に配置されておらず、また、球貸機側でも上端部に配置されていなかった。したがって、従来では、インターフェース制御基板がホール作業者等の目につきにくく、そのインターフェース制御基板に対する球貸機の電気的接続作業がしづらいという問題があったが、付記１にかかる遊技機によればそのような問題が解消される。
また、外部端子板が機構盤の後面側の上端部にほぼ水平状態で配置される。これにより、遊技機の裏面側に前後方向に面する状態で配置される数多くの制御基板等に対する外部端子板の干渉を容易に避けることができる。ちなみに、従来は、外部端子板が機構盤の後面側で前後方向に面する状態で配置されていた。したがって、従来では、遊技機の裏面側に前後方向に面する状態で配置される数多くの制御基板等に対する外部端子板の干渉を避けることがむつかしいという問題があったが、付記１にかかる遊技機によればそのような問題が解消される。
上記したように、付記１にかかる遊技機によれば、インターフェース制御基板と外部端子板とを合理的に配置することができる。
【０１８１】
［付記２］
本発明の付記２にかかる遊技機（前記実施の形態２参照）は、
「付記１に記載の遊技機であって、
前記インターフェース制御基板を覆うカバー部材が設けられていることを特徴とする遊技機。」
を要旨とするものである。
このように構成すると、インターフェース制御基板がカバー部材で覆われることにより、例えば、島設備から落下した球からインターフェース制御基板を保護することができる。このことは、機構盤の後面側でかつ球貸機側の上端部で、島設備から落下した球が衝突しやすい位置に配置されるインターフェース制御基板に有益といえる。
【０１８２】
［付記３］
本発明の付記３にかかる遊技機（前記実施の形態２参照）は、
「付記１又は２に記載の遊技機であって、
前記外部配線用コネクタは、前記ホールコンピュータにつながる配線のコネクタを後方から接続可能に配置されていることを特徴とする遊技機。」
を要旨とするものである。
このように構成すると、外部配線用コネクタが、ホールコンピュータにつながる配線のコネクタを後方から接続可能に配置されている。このため、仮に外部配線用コネクタに前記した不正装置を接続したとしても、その不正装置が機構盤の後面側に露出した状態となるため、不正装置を使用した不正行為を抑制することができる。
【０１８３】
［付記４］
本発明の付記４にかかる遊技機（前記実施の形態２参照）は、
「付記３に記載の遊技機であって、
前記機内配線用コネクタは、前記機内の電気部品につながる配線のコネクタを前方から接続可能にかつ前記外部配線用コネクタの前方に配置されていることを特徴とする遊技機。」
を要旨とするものである。
このように構成すると、機内配線用コネクタが機内の電気部品につながる配線のコネクタを前方から接続可能にかつ外部配線用コネクタの前方に配置されている。このため、機内配線用コネクタに対する不正装置の接続が困難となるため、不正装置を使用した不正行為を抑制することができる。また、機内配線用コネクタと外部配線用コネクタとを前後方向にコンパクトに配置することができる。
【０１８４】
［付記５］
本発明の付記５にかかる遊技機（前記実施の形態２参照）は、
「付記３又は４に記載の遊技機であって、
前記外部配線用コネクタが前記外部端子板上に配置され、
前記外部配線用コネクタを覆うカバー部材が設けられていることを特徴とする遊技機。」
を要旨とするものである。
このように構成すると、外部配線用コネクタが外部端子板上に配置されているので、ホールコンピュータにつながる配線のコネクタを外部配線用コネクタに容易に接続することができる。
また、外部配線用コネクタがカバー部材で覆われることにより、例えば、島設備から落下した球から外部配線用コネクタを保護することができる。このことは、機構盤の後面側の上端部で、島設備から落下した球が衝突しやすい位置に配置される外部配線用コネクタに有益といえる。
【０１８５】
［付記６］
本発明の付記６にかかる遊技機（前記実施の形態２参照）は、
「付記３〜５のいずれか１つに記載の遊技機であって、
前記機構盤には、前記外部端子板をその機構盤の前方から所定のセット位置に受け入れる端子板装着部が設けられていることを特徴とする遊技機。」
を要旨とするものである。
このように構成すると、機構盤の端子板装着部に装着された外部端子板は、機構盤の前方へ取り出さなければならない。このため、外部端子の取り出しがしにくくなり。外部端子板に対して不正装置を接続するといった不正行為を抑制することができる。
【０１８６】
［付記７］
本発明の付記７にかかる遊技機（前記実施の形態２参照）は、
「付記６に記載の遊技機であって、
前記機構盤の前面側に、ヒンジ機構を介して相対的に開閉可能に配置された遊技盤装着枠を備え、
前記遊技盤装着枠に対する前記機構盤の閉鎖によって前記外部端子板の取り出しを阻止する構成としたことを特徴とする遊技機。」
を要旨とするものである。
このように構成すると、遊技盤装着枠に対する機構盤の閉鎖によって外部端子板の取り出しが阻止されることにより、外部端子板に対して不正装置を接続するといった不正行為を良好に抑制することができる。
【０１８７】
［付記８］
付記８に係る発明は、機構盤の後面側における配線の煩雑さを改善することのできる遊技機を提供することを目的としている。
そして、本発明の付記８にかかる遊技機（前記実施の形態１，２参照）は、
「遊技盤を装着する遊技盤装着枠と、その遊技盤装着枠の後面側に開閉可能に配置される機構盤とを備える遊技機であって、
前記機構盤の前面側には、遊技機の後面側に配置される本体側電気部品の電気的な接続にかかる配線を経由させるための配線用空間部を設けることを特徴とする遊技機。」
を要旨とするものである。
このように構成すると、機構盤の前面側に設けた配線用空間部を、いわゆる配線ダクトとして利用することができる。これにより、遊技機の後面側に配置される本体側電気部品の電気的な接続にかかる配線を経由させることができ、その配線を配線用空間部内に内枠体２０により隠蔽した状態で配置することができる。ちなみに、従来では、遊技機の後面側に配置される本体側電気部品の電気的な接続にかかる配線が、その後面側にほとんど露出した状態で煩雑に配置されていたが、付記８にかかる遊技機によれば、配線を配線用空間部内に内枠体２０により隠蔽した状態で配置することができ、ひいては遊技機の後面側における配線の煩雑さを改善することができる。
【０１８８】
本発明は前記実施の形態に限定されるものではなく、本発明の要旨を逸脱しない範囲における変更が可能である。例えば、本発明は、パチンコ機１以外の遊技機に適用することも可能である。また、遊技盤６の切欠凹部６０ｅの形状は、ほぼ四角形の切欠き状に限らず、三角形、１／４の円弧状、台形等にように、適宜の形状に変更することができる。
【０１８９】
【発明の効果】
以上述べたように、本発明によれば、扉体の開閉にともなって、遊技盤装着枠の配線案内部内を配線がスムーズに摺動して出入りすることができる。
【図面の簡単な説明】
【図１】本発明の実施の形態１にかかるパチンコ機を扉体の開放状態で示す斜視図である。
【図２】遊技機本体を上皿部材の開放状態で示す斜視図である。
【図３】遊技機本体を内枠体の開放状態で示す斜視図である。
【図４】パチンコ機を示す正面図である。
【図５】パチンコ機を示す右側面図である。
【図６】遊技機本体を示す後面図である。
【図７】図４のＶＩＩ−ＶＩＩ線矢視断面図である。
【図８】図４のＶＩＩＩ−ＶＩＩＩ線矢視断面図である。
【図９】図４のＩＸ−ＩＸ線矢視断面図である。
【図１０】図４のＸ−Ｘ線矢視断面図である。
【図１１】図４のＸＩ−ＸＩ線矢視断面図である。
【図１２】内枠体を示す斜視図である。
【図１３】内枠体を示す正面図である。
【図１４】内枠体を示す後面図である。
【図１５】図１３のＸＶ−ＸＶ線矢視断面図である。
【図１６】図１３のＸＶＩ−ＸＶＩ線矢視断面図である。
【図１７】機構盤を示す斜視図である。
【図１８】遊技盤を示す正面図である。
【図１９】遊技盤を示す右側面図である。
【図２０】扉体を示す斜視図である。
【図２１】扉体を示す正面図である。
【図２２】図２１のＸＸＩＩ−ＸＸＩＩ線矢視断面図である。
【図２３】図２１のＸＸＩＩＩ−ＸＸＩＩＩ線矢視断面図である。
【図２４】図２１のＸＸＩＶ−ＸＸＩＶ線矢視断面図である。
【図２５】トップレンズを示す斜視図である。
【図２６】図２５のＸＸＶＩ−ＸＸＶＩ線矢視断面図である。
【図２７】操作ハンドルを示す斜視図である。
【図２８】操作ハンドルを示す正面図である。
【図２９】操作ハンドルを示す平面図である。
【図３０】図２８のＸＸＸ−ＸＸＸ線矢視断面図である。
【図３１】図４のＸＸＸＩ−ＸＸＸＩ線矢視断面図である。
【図３２】遊技盤の配列状態を示す正面図である。
【図３３】機構盤を示す正面図である。
【図３４】機構盤を後方から見た斜視図である。
【図３５】機構盤を示す後面図である。
【図３６】パネル飾り部材が省略された遊技盤を示す正面図である。
【図３７】操作ハンドルと球発射装置との関係を示す右側面図である。
【図３８】操作ハンドルと球発射装置との関係を示す分解斜視図である。
【図３９】操作ハンドルを左上方から見下ろした状態で示す斜視図である。
【図４０】後側のハンドル部材を示す正面図である。
【図４１】発射レバーを示す正面図である。
【図４２】発射レバーを示す後面図である。
【図４３】前側のハンドル部材を示す後面図である。
【図４４】発射レバーが原点位置にある状態を示す操作ハンドルの正面図である。
【図４５】発射レバーが回転操作された状態を示す操作ハンドルの正面図である。
【図４６】発射停止ボタンが操作された状態を示す操作ハンドルの正面図である。
【図４７】本発明の実施の形態２にかかるパチンコ機の遊技盤を示す正面図である。
【図４８】パネル飾り部材が省略された遊技盤を示す正面図である。
【図４９】扉体の開放状態で要部を示す斜視図である。
【図５０】遊技盤を省略した状態で要部を示す斜視図である。
【図５１】遊技盤装着枠と機構盤の開放状態で要部を示す斜視図である。
【図５２】遊技機本体を示す後面図である。
【図５３】インターフェース制御基板の周辺部を示す斜視図である。
【図５４】インターフェース制御基板の周辺部を示す側断面図である。
【図５５】配線用枠部及び配線用空間部を示す平断面図である。
【符号の説明】
１　パチンコ機（遊技機）
４　遊技機本体
６　遊技盤
２０　内枠体（遊技盤装着枠）
２１　遊技盤装着枠部
２２　配線案内枠（配線案内部）
３０　機構盤
６０　ベース板
６０ｅ　切欠凹部
６３　遊技領域
６８　左側のパネル飾り部材
６９　右側のパネル飾り部材
８０　扉体
８４　透視板
Ｗ１〜Ｗ６　配線
【図１】
2004065944.tif 000003
【図２】
2004065944.tif 000004
【図３】
2004065944.tif 000005
【図４】
2004065944.tif 000006
【図５】
2004065944.tif 000007
【図６】
2004065944.tif 000008
【図７】
2004065944.tif 000009
【図８】
2004065944.tif 000010
【図９】
2004065944.tif 000011
【図１０】
2004065944.tif 000012
【図１１】
2004065944.tif 000013
【図１２】
2004065944.tif 000014
【図１３】
2004065944.tif 000015
【図１４】
2004065944.tif 000016
【図１５】
2004065944.tif 000017
【図１６】
2004065944.tif 000018
【図１７】
2004065944.tif 000019
【図１８】
2004065944.tif 000020
【図１９】
2004065944.tif 000021
【図２０】
2004065944.tif 000022
【図２１】
2004065944.tif 000023
【図２２】
2004065944.tif 000024
【図２３】
2004065944.tif 000025
【図２４】
2004065944.tif 000026
【図２５】
2004065944.tif 000027
【図２６】
2004065944.tif 000028
【図２７】
2004065944.tif 000029
【図２８】
2004065944.tif 000030
【図２９】
2004065944.tif 000031
【図３０】
2004065944.tif 000032
【図３１】
2004065944.tif 000033
【図３２】
2004065944.tif 000034
【図３３】
2004065944.tif 000035
【図３４】
2004065944.tif 000036
【図３５】
2004065944.tif 000037
【図３６】
2004065944.tif 000038
【図３７】
2004065944.tif 000039
【図３８】
2004065944.tif 000040
【図３９】
2004065944.tif 000041
【図４０】
2004065944.tif 000042
【図４１】
2004065944.tif 000043
【図４２】
2004065944.tif 000044
【図４３】
2004065944.tif 000045
【図４４】
2004065944.tif 000046
【図４５】
2004065944.tif 000047
【図４６】
2004065944.tif 000048
【図４７】
2004065944.tif 000049
【図４８】
2004065944.tif 000050
【図４９】
2004065944.tif 000051
【図５０】
2004065944.tif 000052
【図５１】
2004065944.tif 000053
【図５２】
2004065944.tif 000054
【図５３】
2004065944.tif 000055
【図５４】
2004065944.tif 000056
【図５５】
2004065944.tif 000057